(57)【特許請求の範囲】
【請求項１】
一以上の電気機器の使用状況を示すログ情報を管理する情報管理システムにおける情報管理方法であって、
第１のネットワークを介して、前記一以上の電気機器の中の一の電気機器を示す機器ＩＤ、及び前記一の電気機器が前記一以上の電気機器と同一所有者、同一グループ又は同一宅内に属することを示す帰属ＩＤを受信し、
前記一以上の電気機器を示す機器ＩＤ及び前記帰属ＩＤを管理する第１のデータベースを用いて、前記一の電気機器が新規に接続された電気機器であるか否かを判断し、
前記一の電気機器が新規に接続された電気機器であると判断された場合、第２のネットワークを介して、前記帰属ＩＤに対応付けられており前記一の電気機器とは異なる情報表示装置に対して、前記一の電気機器の前記ログ情報が収集されることを許諾するか否かを確認する通知情報を提供する、
情報管理方法。
【請求項２】
前記第１のネットワークを介して、前記一の電気機器と接続されたゲートウェイから、前記機器ＩＤ及び前記帰属ＩＤを受信し、
前記一の電気機器が新規に接続された電気機器であると判断された場合、前記帰属ＩＤと前記情報表示装置とを対応付けて管理する第２のデータベースを用いて、前記一の電気機器の前記帰属ＩＤに対応する前記情報表示装置に対して、前記第２のネットワークを介して、前記通知情報を提供する、
請求項１記載の情報管理方法。
【請求項３】
前記第１のネットワークを介して、前記一の電気機器と接続されたゲートウェイから、前記一の電気機器を示す機器ＩＤ、及び前記一の電気機器が前記一以上の電気機器と同一所有者、同一グループ又は同一宅内に属することを示す帰属ＩＤを受信し、
前記一の電気機器が新規に接続された電気機器であると判断された場合、前記ゲートウェイに対して、前記第２のネットワークを介して、前記通知情報を送信し、
前記ゲートウェイによって管理される前記情報表示装置を示す機器ＩＤに基づいて、前記ゲートウェイを経由して前記情報表示装置に対して、前記通知情報を提供する、
請求項１記載の情報管理方法。
【請求項４】
前記通知情報に応答して、前記一の家電機器のログ情報の収集を許諾する許諾情報を、前記情報表示装置から前記第２のネットワークを介して受信し、
前記許諾情報に基づいて、前記第１のネットワークを介して前記ゲートウェイに対して、前記一の電気機器の前記ログ情報を収集するか否かを設定し、
前記設定内容に基づいて前記ゲートウェイが送信する前記一の電気機器の前記ログ情報を、前記第１のネットワークを介して受信する、
請求項２又は３記載の情報管理方法。
【請求項５】
前記第１のネットワークを介して、前記一の電気機器から、前記機器ＩＤ及び前記帰属ＩＤを受信し、
前記一の電気機器が新規に接続された電気機器であると判断された場合、前記帰属ＩＤと前記情報表示装置とを対応付けて管理する第２のデータベースを用いて、前記一の電気機器の前記帰属ＩＤに対応する前記情報表示装置に対して、前記第２のネットワークを介して、前記通知情報を提供する、
請求項１記載の情報管理方法。
【請求項６】
前記情報表示装置は、複数の情報表示装置を含み、
前記第１のネットワークを介して前記複数の情報表示装置から、電源がＯＮ状態又はＯＦＦ状態のいずれであるかを示す電源状態を取得し、
取得された前記電源状態に基づいて前記複数の情報表示装置の中で電源がＯＮ状態である情報表示装置を特定し、
特定された前記情報表示装置に前記通知情報を提供する、
請求項１〜５のいずれかに記載の情報管理方法。
【請求項７】
前記情報表示装置は、複数の情報表示装置を含み、
前記第１のネットワークを介して前記複数の情報表示装置から、電源がＯＮ状態又はＯＦＦ状態のいずれであるかを示す電源状態と、操作中であるか否かを示す操作状況とを取得し、
取得された前記電源状態及び前記操作状況に基づいて前記複数の情報表示装置の中で電源がＯＮ状態であり、かつ操作中である情報表示装置を特定し、
特定された前記情報表示装置に前記通知情報を提供する、
請求項１〜５のいずれかに記載の情報管理方法。
【請求項８】
前記情報表示装置は、複数の情報表示装置を含み、
前記通知情報は、前記複数の情報表示装置すべてに提供される、
請求項１〜５のいずれかに記載の情報管理方法。
【請求項９】
前記一以上の電気機器のうち、前記ログ情報の少なくとも一部が収集されることを許諾していない他の電気機器について前記ログ情報が収集されることを許諾するか否かを確認する前記通知情報を、前記情報表示装置に対して提供する、
請求項１〜８のいずれかに記載の情報管理方法。
【請求項１０】
前記通知情報に基づいて前記一の電気機器の前記ログ情報が収集されることが許諾された場合、前記一の電気機器に対して前記ログ情報の送信を許可する、
請求項１〜９のいずれかに記載の情報管理方法。
【請求項１１】
前記一の電気機器は、ディスプレイを有していない、
請求項１〜９のいずれかに記載の情報管理方法。
【請求項１２】
前記通知情報に応答して、前記一の電気機器の前記ログ情報の収集を許諾する許諾情報を、前記情報表示装置から前記第２のネットワークを介して受信し、
前記許諾情報に基づいて、前記第１のネットワークを介して前記一の電気機器の前記ログ情報を収集する、
請求項１〜１１のいずれかに記載の情報管理方法。
【請求項１３】
前記通知情報に応答して、前記一の電気機器の前記ログ情報の収集を許諾する許諾情報を、前記情報表示装置から前記第２のネットワークを介して受信し、
前記許諾情報に基づいて、前記第１のネットワークを介して前記一の電気機器に対して、前記一の電気機器の前記ログ情報を収集するか否かを設定し、
前記設定内容に基づいて前記一の電気機器が送信する前記一の電気機器の前記ログ情報を、前記第１のネットワークを介して受信する、
請求項１〜１１のいずれかに記載の情報管理方法。
【請求項１４】
前記第１のネットワークと前記第２のネットワークとは、同一ネットワークである、
請求項１〜１３のいずれかに記載の情報管理方法。
【発明の詳細な説明】
【技術分野】
【０００１】
本発明は、一以上の電気機器の使用状況を示すログ情報を管理する情報管理システムにおける情報管理方法に関するものである。
【背景技術】
【０００２】
近年、家庭内において、ネットワークに接続可能な家電機器又はＡＶ（Ａｕｄｉｏ  Ｖｉｓｕａｌ）機器が増えている。これに伴い、クラウド事業者がネットワークを介して家電機器又はＡＶ機器の動作履歴を含む各種のログ情報を収集するシステムが検討されている。この収集したログ情報に基づいて、ユーザのライフスタイルに合ったサービスの提供が可能になることが期待されている。【０００３】
しかし、上記システムは未だ検討段階であり、実用化には更なる改善が必要であった。
【先行技術文献】
【特許文献】
【０００４】
【特許文献１】特許第４７５７９００号明細書
【特許文献２】特開２００６−２５２５９号公報
【特許文献３】特許第４３０９０８７号明細書
【発明の概要】
【０００５】
本発明は、上記の問題を解決するためになされたもので、電気機器がディスプレイを有しているか否か又は電気機器が有するディスプレイの大きさに関わらず、電気機器のログ情報が収集されることを許諾するか否かをユーザに確認することができる情報管理方法を提供することを目的とするものである。
【０００６】
本発明の一態様に係る情報管理方法は、一以上の電気機器の使用状況を示すログ情報を管理する情報管理システムにおける情報管理方法であって、第１のネットワークを介して、前記一以上の電気機器の中の一の電気機器を示す機器ＩＤ、及び前記一の電気機器が前記一以上の電気機器と同一所有者、同一グループ又は同一宅内に属することを示す帰属ＩＤを受信し、前記一以上の電気機器を示す機器ＩＤ及び前記帰属ＩＤを管理する第１のデータベースを用いて、前記一の電気機器が新規に接続された電気機器であるか否かを判断し、前記一の電気機器が新規に接続された電気機器であると判断された場合、第２のネットワークを介して、前記帰属ＩＤに対応付けられており前記一の電気機器とは異なる情報表示装置に対して、前記一の電気機器の前記ログ情報が収集されることを許諾するか否かを確認する通知情報を提供する。
【０００７】
本発明によれば、電気機器がディスプレイを有しているか否か又は電気機器が有するディスプレイの大きさに関わらず、電気機器のログ情報が収集されることを許諾するか否かをユーザに確認することができる。
【図面の簡単な説明】
【０００８】
【図１】（Ａ）は、本実施の形態における情報管理システムが提供するサービスの全体像を示す図であり、（Ｂ）は、機器メーカがデータセンタ運営会社に該当する例を示す図であり、（Ｃ）は、機器メーカ及び管理会社の両者又はいずれか一方がデータセンタ運営会社に該当する例を示す図である。
【図２】本発明の実施の形態１における情報管理システムの構成を示す図である。
【図３】本発明の実施の形態１におけるサーバ装置の構成を示す図である。
【図４】本発明の実施の形態１における家電機器の構成を示す図である。
【図５】本発明の実施の形態１におけるゲートウェイの構成を示す図である。
【図６】本発明の実施の形態１における情報機器の構成を示す図である。
【図７】実施の形態１における管理情報の一例を示す図である。
【図８】実施の形態１における宛先情報の一例を示す図である。
【図９】実施の形態１におけるログ情報の提供状況を含む管理情報の一例を示す図である。
【図１０】実施の形態１における通知情報の一例を示す図である。
【図１１】実施の形態１における通知情報の他の例を示す図である。
【図１２】本発明の実施の形態１におけるサーバ装置が保持する管理情報の更新処理の一例を示す図である。
【図１３】実施の形態１における機器ＩＤの一例を示す図である。
【図１４】実施の形態１におけるゲートウェイＩＤの一例を示す図である。
【図１５】本発明の実施の形態１における情報管理システムの動作を説明するための第１のフローチャートである。
【図１６】本発明の実施の形態１における情報管理システムの動作を説明するための第２のフローチャートである。
【図１７】本発明の実施の形態１における情報管理システムの動作を説明するための第３のフローチャートである。
【図１８】図１６のステップＳ９及び図１７のステップＳ１７における通知情報送信処理の動作を説明するためのフローチャートである。
【図１９】図１６のステップＳ９及び図１７のステップＳ１７における通知情報送信処理の他の動作を説明するためのフローチャートである。
【図２０】本発明の実施の形態２におけるサーバ装置の構成を示す図である。
【図２１】本発明の実施の形態２における家電機器の構成を示す図である。
【図２２】実施の形態２におけるログ情報の選択処理について説明するための図である。
【図２３】本発明の実施の形態２における情報管理システムの動作を説明するためのフローチャートである。
【図２４】本発明の実施の形態３における家電機器の構成を示す図である。
【図２５】実施の形態３におけるフィルタリング情報の一例を示す図である。
【図２６】本発明の実施の形態３における情報管理システムの動作を説明するためのフローチャートである。
【図２７】実施の形態３におけるログ情報の更新処理について説明するための図である。
【図２８】本発明の実施の形態４におけるゲートウェイの構成を示す図である。
【図２９】実施の形態４における管理情報の一例を示す図である。
【図３０】本発明の実施の形態４における情報管理システムの動作を説明するための第１のフローチャートである。
【図３１】本発明の実施の形態４における情報管理システムの動作を説明するための第２のフローチャートである。
【図３２】図３１のステップＳ８１における通知情報送信処理の動作を説明するためのフローチャートである。
【図３３】図３１のステップＳ８１における通知情報送信処理の他の動作を説明するためのフローチャートである。
【図３４】本発明の実施の形態５における情報管理システムの構成を示す図である。
【図３５】本発明の実施の形態５におけるサーバ装置の構成を示す図である。
【図３６】本発明の実施の形態５における家電機器の構成を示す図である。
【図３７】実施の形態５における管理情報の一例を示す図である。
【図３８】本発明の実施の形態５における情報管理システムの動作を説明するための第１のフローチャートである。
【図３９】本発明の実施の形態５における情報管理システムの動作を説明するための第２のフローチャートである。
【図４０】図３９のステップＳ１１７における通知情報送信処理の動作を説明するためのフローチャートである。
【図４１】図３９のステップＳ１１７における通知情報送信処理の他の動作を説明するためのフローチャートである。
【図４２】サービスの類型１（自社データセンタ型クラウドサービス）における情報管理システムが提供するサービスの全体像を示す図である。
【図４３】サービスの類型２（ＩａａＳ利用型クラウドサービス）における情報管理システムが提供するサービスの全体像を示す図である。
【図４４】サービスの類型３（ＰａａＳ利用型クラウドサービス）における情報管理システムが提供するサービスの全体像を示す図である。
【図４５】サービスの類型４（ＳａａＳ利用型クラウドサービス）における情報管理システムが提供するサービスの全体像を示す図である。
【発明を実施するための形態】
【０００９】
クラウド事業者が家電機器又はＡＶ機器からネットワークを介して収集する各種のログ情報は、ユーザのプライバシーに関連する情報であるため無断で収集することはできず、ログ情報を収集するためには個別にユーザの許諾が必要である。このとき、例えば、冷蔵庫のログ情報はクラウド事業者へ提供しても良いが、テレビのログ情報はクラウド事業者へ提供したくないなど、家電機器毎にログ情報を提供するか否かを設定したいと考えるユーザが存在する。従って、ログ情報を収集するか否かの許諾は、家電機器毎に必要であると考えられる。
【００１０】
一方、上記システムを利用する場合、ユーザは、ネットワークに接続した複数の所有している家電機器について、それぞれログ情報を提供するか否かを能動的に設定しなければならず面倒である。また、プライバシーに関わるログ情報の収集について許諾を得るためには、ユーザに対して免責事項又は契約内容等を通知する必要がある。家電機器の中でも洗濯機及び冷蔵庫などのディスプレイを備えない家電機器、又は、簡易的なディスプレイしか備えていない家電機器に関しては、免責事項又は契約内容等を表示することが困難であり、画面表示に基づいて何らかの設定を受け付けることが困難である。そのため、ユーザは、ディスプレイを有していない家電機器又は簡易的なディスプレイを有している家電機器に対して直接ログ情報を提供するか否かの設定を行うことができない。
【００１１】
このような課題を解決するために、本発明者らは、以下の態様に係る発明を想到するに至った。
【００１２】
本発明の一態様に係る情報管理方法は、一以上の電気機器の使用状況を示すログ情報を管理する情報管理システムにおける情報管理方法であって、第１のネットワークを介して、前記一以上の電気機器の中の一の電気機器を示す機器ＩＤ、及び前記一の電気機器が前記一以上の電気機器と同一所有者、同一グループ又は同一宅内に属することを示す帰属ＩＤを受信し、前記一以上の電気機器を示す機器ＩＤ及び前記帰属ＩＤを管理する第１のデータベースを用いて、前記一の電気機器が新規に接続された電気機器であるか否かを判断し、前記一の電気機器が新規に接続された電気機器であると判断された場合、第２のネットワークを介して、前記帰属ＩＤに対応付けられており前記一の電気機器とは異なる情報表示装置に対して、前記一の電気機器の前記ログ情報が収集されることを許諾するか否かを確認する通知情報を提供する。
【００１３】
この構成によれば、ログ情報を収集するか否かの許諾を受けていない一の電気機器が新たに設置された場合、一の電気機器のログ情報が収集されることを許諾するか否かを確認する通知情報が、一の電気機器とは異なる情報表示装置に対して提供される。すなわち、実際にログ情報が収集される一の電気機器ではなく、一の電気機器とは異なる情報表示装置に対して一の電気機器のログ情報が収集されることを許諾するか否かを確認する通知情報が提供される。そのため、電気機器がディスプレイを有しているか否か又は電気機器が有するディスプレイの大きさに関わらず、電気機器のログ情報が収集されることを許諾するか否かをユーザに確認することができる。
【００１４】
また、ユーザは、新たに設定した電気機器のログ情報が収集されることを許諾するか否かを能動的に設定する必要がなく、提供される通知情報に対して応答するだけでログ情報の収集に関する設定を完了することができる。そのため、ユーザは、通知情報に応じて電気機器のログ情報を提供するか否かを判断することができるとともに、容易に、電気機器のログ情報を提供するか否かを設定することができる。
【００１５】
また、上記態様において、前記第１のネットワークを介して、前記一の電気機器と接続されたゲートウェイから、前記機器ＩＤ及び前記帰属ＩＤを受信し、前記一の電気機器が新規に接続された電気機器であると判断された場合、前記帰属ＩＤと前記情報表示装置とを対応付けて管理する第２のデータベースを用いて、前記一の電気機器の前記帰属ＩＤに対応する前記情報表示装置に対して、前記第２のネットワークを介して、前記通知情報を提供することが好ましい。
【００１６】
この構成によれば、第１のネットワークを介して、一の電気機器と接続されたゲートウェイから、機器ＩＤ及び帰属ＩＤが受信される。一の電気機器が新規に接続された電気機器であると判断された場合、帰属ＩＤと情報表示装置とを対応付けて管理する第２のデータベースを用いて、一の電気機器の帰属ＩＤに対応する情報表示装置に対して、第２のネットワークを介して、通知情報が提供される。
【００１７】
したがって、一の電気機器と接続されたゲートウェイから、機器ＩＤ及び帰属ＩＤが受信されるので、一の電気機器から直接機器ＩＤ及び帰属ＩＤを取得できない場合であっても、一の電気機器と接続されたゲートウェイを介して機器ＩＤ及び帰属ＩＤを取得できる。
【００１８】
また、上記態様において、前記第１のネットワークを介して、前記一の電気機器と接続されたゲートウェイから、前記一の電気機器を示す機器ＩＤ、及び前記一の電気機器が前記一以上の電気機器と同一所有者、同一グループ又は同一宅内に属することを示す帰属ＩＤを受信し、前記一の電気機器が新規に接続された電気機器であると判断された場合、前記ゲートウェイに対して、前記第２のネットワークを介して、前記通知情報を送信し、前記ゲートウェイによって管理される前記情報表示装置を示す機器ＩＤに基づいて、前記ゲートウェイを経由して前記情報表示装置に対して、前記通知情報を提供することが好ましい。
【００１９】
この構成によれば、ゲートウェイによって管理される情報表示装置を示す機器ＩＤに基づいて、ゲートウェイを経由して情報表示装置に対して、通知情報が提供されるので、情報表示装置へ直接通知情報を送信することができない場合であっても、情報表示装置と接続されたゲートウェイを介して情報表示装置へ通知情報を送信することができる。
【００２０】
また、上記態様において、前記通知情報に応答して、前記一の家電機器のログ情報の収集を許諾する許諾情報を、前記情報表示装置から前記第２のネットワークを介して受信し、前記許諾情報に基づいて、前記第１のネットワークを介して前記ゲートウェイに対して、前記一の電気機器の前記ログ情報を収集するか否かを設定し、前記設定内容に基づいて前記ゲートウェイが送信する前記一の電気機器の前記ログ情報を、前記第１のネットワークを介して受信することが好ましい。
【００２１】
この構成によれば、通知情報に応答して、一の家電機器のログ情報の収集を許諾する許諾情報が、情報表示装置から第２のネットワークを介して受信される。許諾情報に基づいて、第１のネットワークを介してゲートウェイに対して、一の電気機器のログ情報を収集するか否かが設定される。設定内容に基づいてゲートウェイが送信する一の電気機器のログ情報が、第１のネットワークを介して受信される。
【００２２】
したがって、許諾情報に基づいて、第１のネットワークを介してゲートウェイに対して、一の電気機器のログ情報を収集するか否かが設定されるので、電気機器においてログ情報を提供するか否かの判断が不要となり、電気機器の構成を簡略化することができる。
【００２３】
また、上記態様において、前記第１のネットワークを介して、前記一の電気機器から、前記機器ＩＤ及び前記帰属ＩＤを受信し、前記一の電気機器が新規に接続された電気機器であると判断された場合、前記帰属ＩＤと前記情報表示装置とを対応付けて管理する第２のデータベースを用いて、前記一の電気機器の前記帰属ＩＤに対応する前記情報表示装置に対して、前記第２のネットワークを介して、前記通知情報を提供することが好ましい。
【００２４】
この構成によれば、一の電気機器から機器ＩＤ及び帰属ＩＤが受信されるとともに、一の電気機器の帰属ＩＤに対応する情報表示装置に対して通知情報が提供されるので、ゲートウェイを介することなく、一の電気機器から直接機器ＩＤ及び帰属ＩＤを受信することができ、かつ、情報表示装置に対して直接通知情報を提供することができる。
【００２５】
また、上記態様において、前記情報表示装置は、複数の情報表示装置を含み、前記第１のネットワークを介して前記複数の情報表示装置から、電源がＯＮ状態又はＯＦＦ状態のいずれであるかを示す電源状態を取得し、取得された前記電源状態に基づいて前記複数の情報表示装置の中で電源がＯＮ状態である情報表示装置を特定し、特定された前記情報表示装置に前記通知情報を提供することが好ましい。
【００２６】
この構成によれば、複数の情報表示装置の中で電源がＯＮ状態である情報表示装置に通知情報が提供されるので、情報表示装置が通知情報を取得した際にユーザに対して即座に通知情報を提示することができる。
【００２７】
また、上記態様において、前記情報表示装置は、複数の情報表示装置を含み、前記第１のネットワークを介して前記複数の情報表示装置から、電源がＯＮ状態又はＯＦＦ状態のいずれであるかを示す電源状態と、操作中であるか否かを示す操作状況とを取得し、取得された前記電源状態及び前記操作状況に基づいて前記複数の情報表示装置の中で電源がＯＮ状態であり、かつ操作中である情報表示装置を特定し、特定された前記情報表示装置に前記通知情報を提供することが好ましい。
【００２８】
この構成によれば、複数の情報表示装置の中で電源がＯＮ状態であり、かつ操作中である情報表示装置に通知情報が提供されるので、情報表示装置が通知情報を取得した際にユーザに対して即座に通知情報を提示することができる。
【００２９】
また、上記態様において、前記情報表示装置は、複数の情報表示装置を含み、前記通知情報は、前記複数の情報表示装置すべてに提供されることが好ましい。
【００３０】
通知情報は、複数の情報表示装置すべてに提供されるので、ユーザは、複数の情報表示装置のうちのいずれの情報表示装置においても通知情報を確認することができる。
【００３１】
また、上記態様において、前記一以上の電気機器のうち、前記ログ情報の少なくとも一部が収集されることを許諾していない他の電気機器について前記ログ情報が収集されることを許諾するか否かを確認する前記通知情報を、前記情報表示装置に対して提供することが好ましい。
【００３２】
この構成によれば、一以上の電気機器のうち、ログ情報の少なくとも一部が収集されることを許諾していない他の電気機器についてログ情報が収集されることを許諾するか否かを確認する通知情報が、情報表示装置に対して提供される。
【００３３】
したがって、一以上の電気機器のうち、ログ情報の少なくとも一部が収集されることを許諾していない他の電気機器についてログ情報が収集されることを許諾するか否かが確認されるので、ログ情報の少なくとも一部の収集を許諾していない他の電気機器に対して、再度、ログ情報が収集されることを許諾するか否かを確認することができる。
【００３４】
また、上記態様において、前記通知情報に基づいて前記一の電気機器の前記ログ情報が収集されることが許諾された場合、前記一の電気機器に対して前記ログ情報の送信を許可することが好ましい。
【００３５】
この構成によれば、一の電気機器のログ情報が収集されることが許諾された場合、一の電気機器に対してログ情報の送信が許可されるので、一の電気機器からログ情報を収集することができる。
【００３６】
また、上記態様において、前記一の電気機器は、ディスプレイを有していないことが好ましい。
【００３７】
この構成によれば、ディスプレイを有していない電気機器に対して、ログ情報を収集するか否かを設定することができる。
【００３８】
また、上記態様において、前記通知情報に応答して、前記一の電気機器の前記ログ情報の収集を許諾する許諾情報を、前記情報表示装置から前記第２のネットワークを介して受信し、前記許諾情報に基づいて、前記第１のネットワークを介して前記一の電気機器の前記ログ情報を収集することが好ましい。
【００３９】
この構成によれば、通知情報に応答して、一の電気機器のログ情報の収集を許諾する許諾情報が、情報表示装置から第２のネットワークを介して受信される。許諾情報に基づいて、第１のネットワークを介して一の電気機器のログ情報が収集される。
【００４０】
したがって、一の電気機器からログ情報を直接収集することができる。
【００４１】
また、上記態様において、前記通知情報に応答して、前記一の電気機器の前記ログ情報の収集を許諾する許諾情報を、前記情報表示装置から前記第２のネットワークを介して受信し、前記許諾情報に基づいて、前記第１のネットワークを介して前記一の電気機器に対して、前記一の電気機器の前記ログ情報を収集するか否かを設定し、前記設定内容に基づいて前記一の電気機器が送信する前記一の電気機器の前記ログ情報を、前記第１のネットワークを介して受信することが好ましい。
【００４２】
この構成によれば、通知情報に応答して、一の電気機器のログ情報の収集を許諾する許諾情報が、情報表示装置から第２のネットワークを介して受信される。許諾情報に基づいて、第１のネットワークを介して一の電気機器に対して、一の電気機器のログ情報を収集するか否かが設定される。設定内容に基づいて一の電気機器が送信する一の電気機器のログ情報が、第１のネットワークを介して受信される。
【００４３】
したがって、一の電気機器に対して、一の電気機器のログ情報を収集するか否かが設定されるので、一の電気機器は、収集することが許諾されているログ情報のみを送信することができ、送信するログ情報の量を削減することができる。
【００４４】
また、上記態様において、前記第１のネットワークと前記第２のネットワークとは、同一ネットワークであることが好ましい。
【００４５】
この構成によれば、機器ＩＤ及び帰属ＩＤを受信する第１のネットワークと、通知情報を送信する第２のネットワークとが同一ネットワークであるので、情報を伝送する伝送経路を簡略化することができる。
【００４６】
以下で説明する実施の形態は、いずれも本発明の一具体例を示すものである。以下の実施の形態で示される数値、形状、構成要素、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。また全ての実施の形態において、各々の内容を組み合わせることもできる。
【００４７】
（提供するサービスの全体像）
まず、本実施の形態における情報管理システムが提供するサービスの全体像について説明する。
【００４８】
図１（Ａ）は、本実施の形態における情報管理システムが提供するサービスの全体像を示す図であり、図１（Ｂ）は、機器メーカがデータセンタ運営会社に該当する例を示す図であり、図１（Ｃ）は、機器メーカ及び管理会社の両者又はいずれか一方がデータセンタ運営会社に該当する例を示す図である。情報管理システムは、グループ１０００、データセンタ運営会社１０１０及びサービスプロバイダ１０２０を備える。
【００４９】
グループ１０００は、例えば企業、団体又は家庭等であり、その規模を問わない。グループ１０００には、第１の機器及び第２の機器を含む複数の機器１００１およびホームゲートウェイ１００２が存在する。複数の機器１００１は、インターネットと接続可能な機器（例えば、スマートフォン、パーソナルコンピュータ（ＰＣ）又はテレビ等）、及びそれ自身ではインターネットと接続不可能な機器（例えば、照明、洗濯機又は冷蔵庫等）を含む。複数の機器１００１は、それ自身ではインターネットと接続不可能であっても、ホームゲートウェイ１００２を介してインターネットと接続可能となる機器を含んでもよい。また、ユーザ１０は、グループ１０００内の複数の機器１００１を使用する。
【００５０】
データセンタ運営会社１０１０は、クラウドサーバ１０１１を備える。クラウドサーバ１０１１は、インターネットを介して様々な機器と連携する仮想化サーバである。クラウドサーバ１０１１は、主に通常のデータベース管理ツール等で扱うことが困難な巨大なデータ（ビッグデータ）等を管理する。データセンタ運営会社１０１０は、データの管理、クラウドサーバ１０１１の管理、及びそれらを行うデータセンタの運営等を行っている。データセンタ運営会社１０１０が行っている役務の詳細については後述する。
【００５１】
ここで、データセンタ運営会社１０１０は、データの管理又はクラウドサーバ１０１１の管理のみを行っている会社に限らない。例えば、図１（Ｂ）に示すように、複数の機器１００１のうちの一つの機器を開発又は製造している機器メーカが、データの管理又はクラウドサーバ１０１１の管理等を行っている場合は、機器メーカがデータセンタ運営会社１０１０に該当する。また、データセンタ運営会社１０１０は一つの会社に限らない。例えば、図１（Ｃ）に示すように、機器メーカ及び管理会社が共同又は分担してデータの管理又はクラウドサーバ１０１１の管理を行っている場合は、両者又はいずれか一方がデータセンタ運営会社１０１０に該当する。
【００５２】
サービスプロバイダ１０２０は、サーバ１０２１を備える。ここで言うサーバ１０２１とは、その規模は問わず、例えば、個人用ＰＣ内のメモリ等も含む。また、サービスプロバイダ１０２０がサーバ１０２１を備えていない場合もある。
【００５３】
なお、上記の情報管理システムにおいて、ホームゲートウェイ１００２は必須ではない。例えば、クラウドサーバ１０１１が全てのデータ管理を行っている場合等は、ホームゲートウェイ１００２は不要となる。また、家庭内の全ての機器がインターネットに接続されている場合のように、それ自身ではインターネットと接続不可能な機器は存在しない場合もある。
【００５４】
次に、上記の情報管理システムにおける情報の流れを説明する。
【００５５】
まず、グループ１０００の第１の機器又は第２の機器は、各ログ情報をデータセンタ運営会社１０１０のクラウドサーバ１０１１にそれぞれ送信する。クラウドサーバ１０１１は、第１の機器又は第２の機器のログ情報を集積する（図１（Ａ）の矢印１３１）。ここで、ログ情報とは、複数の機器１００１の例えば運転状況又は動作日時等を示す情報である。例えば、ログ情報は、テレビの視聴履歴、レコーダーの録画予約情報、洗濯機の運転日時、洗濯物の量、冷蔵庫の開閉日時、又は冷蔵庫の開閉回数などを含むが、これらの情報に限らず、種々の機器から取得が可能な種々の情報を含んでもよい。なお、ログ情報は、インターネットを介して複数の機器１００１自体から直接クラウドサーバ１０１１に提供されてもよい。また、ログ情報は、複数の機器１００１から一旦ホームゲートウェイ１００２に集積され、ホームゲートウェイ１００２からクラウドサーバ１０１１に提供されてもよい。
【００５６】
次に、データセンタ運営会社１０１０のクラウドサーバ１０１１は、集積したログ情報を一定の単位でサービスプロバイダ１０２０に提供する。ここで、一定の単位とは、データセンタ運営会社１０１０が集積した情報を整理してサービスプロバイダ１０２０に提供することのできる単位でもよいし、サービスプロバイダ１０２０が要求する単位でもよい。また、一定の単位で提供するとしているが、一定の単位でなくてもよく、状況に応じて提供する情報量が変化してもよい。ログ情報は、必要に応じてサービスプロバイダ１０２０が保有するサーバ１０２１に保存される（図１（Ａ）の矢印１３２）。
【００５７】
そして、サービスプロバイダ１０２０は、ログ情報をユーザに提供するサービスに適合する情報に整理し、ユーザに提供する。情報が提供されるユーザは、複数の機器１００１を使用するユーザ１０でもよいし、外部のユーザ２０でもよい。ユーザ１０，２０への情報提供方法としては、例えば、サービスプロバイダ１０２０から直接ユーザ１０，２０へ情報が提供されてもよい（図１（Ａ）の矢印１３３，１３４）。また、ユーザ１０への情報提供方法としては、例えば、データセンタ運営会社１０１０のクラウドサーバ１０１１を再度経由して、ユーザ１０に情報が提供されてもよい（図１（Ａ）の矢印１３５，１３６）。また、データセンタ運営会社１０１０のクラウドサーバ１０１１は、ログ情報をユーザに提供するサービスに適合する情報に整理し、サービスプロバイダ１０２０に提供してもよい。
【００５８】
なお、ユーザ１０は、ユーザ２０と異なっていても同一であってもよい。
【００５９】
（実施の形態１）
１．１  情報管理システムの構成
図２は、本発明の実施の形態１における情報管理システムの構成を示す図である。情報管理システムは、図２に示すように、サーバ装置１０１、家電機器１０２、ゲートウェイ１０３及び情報機器１０４を備える。情報管理システムは、一以上の電気機器の使用状況を示すログ情報を管理する。
【００６０】
図２では、家電機器１０２、ゲートウェイ１０３及び情報機器１０４が宅内に位置する。ゲートウェイ１０３は、例えばインターネットなどのネットワークを介してサーバ装置１０１に接続している。
【００６１】
家電機器１０２は、例えば、空調機器、テレビなどのＡＶ機器、洗濯機、照明機器、電子シャッター又はインターフォンなどである。なお、家電機器１０２は、住設機器、住環境を測定及び検知するセンサ、及び電動車両なども含めた、家庭内で使用される電化製品であり、ログ情報を収集可能な機器であればどのような電気機器であってもよい。
【００６２】
家電機器１０２は、ゲートウェイ１０３を介してサーバ装置１０１に接続されている。家電機器１０２は、個々の家電機器１０２を一意に識別可能なＩＤ情報（機器ＩＤ）又はログ情報をサーバ装置１０１へ送信する。
【００６３】
また、新たな家電機器１０２がゲートウェイ１０３に接続された場合、サーバ装置１０１は、新たな家電機器１０２の利用者が保有する情報機器１０４に対して、新たな家電機器１０２のログ情報を提供（送信）することを許諾するか否かを確認するメッセージを提示して、利用者の確認結果を受信する。ログ情報の提供が許諾された場合、新たな家電機器１０２は、ＩＤ情報及びログ情報をサーバ装置１０１へ提供する。サーバ装置１０１は、管理しているデータベース（管理データベース）でログ情報を保存及び管理する。
【００６４】
情報機器１０４は、例えば、スマートフォン、携帯電話機又はタブレット型コンピュータなどである。情報機器１０４は、種々の情報を表示可能なディスプレイを備える。情報機器１０４は、例えばインターネットなどのネットワークを介してサーバ装置１０１に接続されている。
【００６５】
１．２  サーバ装置１０１の構成
続いて、実施の形態１におけるサーバ装置１０１の詳細な構成を説明する。
【００６６】
図３は、本発明の実施の形態１におけるサーバ装置の構成を示す図である。サーバ装置１０１は、図３に示すように、送受信部２０１、管理情報保持部２０２、通知情報保持部２０３、判断部２０４、更新部２０５、選択部２０６及び制御部２０７を備える。
【００６７】
サーバ装置１０１は、具体的には図示されていないマイクロプロセッサ、ＲＡＭ（ランダムアクセスメモリ）、ＲＯＭ（リードオンリーメモリ）及びハードディスクなどから構成される。ＲＡＭ、ＲＯＭ及びハードディスクは、コンピュータプログラムを記憶している。マイクロプロセッサがコンピュータプログラムに従って動作することにより、サーバ装置１０１の機能が実現される。
【００６８】
なお、サーバ装置１０１の送受信部２０１、管理情報保持部２０２、通知情報保持部２０３、判断部２０４、更新部２０５、選択部２０６及び制御部２０７等の各機能ブロックは、典型的には集積回路であるＬＳＩ（Ｌａｒｇｅ  Ｓｃａｌｅ  Ｉｎｔｅｇｒａｔｉｏｎ）として実現されてもよい。各機能ブロックは、個別に１チップ化されてもよいし、１以上の機能ブロック又は一部の機能ブロックを含むように１チップ化されてもよい。
【００６９】
ここでは、ＬＳＩとしたが、集積度の違いにより、ＩＣ（Ｉｎｔｅｇｒａｔｅｄ  Ｃｉｒｃｕｉｔ）、システムＬＳＩ、スーパーＬＳＩ又はウルトラＬＳＩと呼称されることもある。
【００７０】
また、集積回路化の手法はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ製造後にＬＳＩ内部の回路セルの接続又は設定を再構成可能なリコンフィギュラブル・プロセッサを利用してもよい。
【００７１】
さらには、半導体技術の進歩又は派生する別技術によりＬＳＩに置き換わる集積回路化の技術が登場すれば、当然、その技術を用いて機能ブロックの集積化を行ってもよい。ＬＳＩに置き換わる集積回路化の技術としては、例えばバイオ技術の適用等が可能性としてありえる。
【００７２】
最後に、各機能ブロックは、ソフトウェアで実現されてもよいし、ＬＳＩとソフトウェアとの組み合わせで実現されてもよい。また、ソフトウェアは耐タンパ化されていてもよい。
【００７３】
（１）送受信部２０１
送受信部２０１は、ゲートウェイ１０３から、ゲートウェイＩＤ、機器ＩＤ、及び家電機器１０２が受け付けたユーザ入力情報を受信する。ゲートウェイＩＤは、ゲートウェイを一意に識別可能な識別子である。機器ＩＤは、家電機器を一意に識別可能な識別子である。
【００７４】
また、送受信部２０１は、通知情報保持部２０３に保持されている通知情報を情報機器１０４へ送信する。通知情報とは、例えば、家電機器１０２のログ情報の提供又は収集の許諾を得るためのユーザへのメッセージなどであり、ユーザ入力情報とは、ユーザがログ情報の収集を許諾するか否かを示す応答情報（許諾情報）などである。
【００７５】
送受信部２０１は、第１のネットワークを介して、一以上の電気機器（家電機器１０２）の中の一の電気機器を示す機器ＩＤ、及び一の電気機器が一以上の電気機器と同一所有者、同一グループ又は同一宅内に属することを示す帰属ＩＤ（ゲートウェイＩＤ）を受信する。送受信部２０１は、第１のネットワークを介して、一の電気機器と接続されたゲートウェイ１０３から、機器ＩＤ及び帰属ＩＤ（ゲートウェイＩＤ）を受信する。
【００７６】
（２）管理情報保持部２０２
管理情報保持部２０２は、ゲートウェイ１０３のゲートウェイＩＤと家電機器１０２の機器ＩＤとの対応付け、家電機器１０２がディスプレイを持つか否か、家電機器１０２がログ情報を提供している否か、家電機器１０２の現在の電源状態がＯＮ状態であるか否か、などの管理情報を保持し、管理している。
【００７７】
図７は、実施の形態１における管理情報の一例を示す図である。図７の例では、ゲートウェイＩＤ「３２４５６３８９」に対応するゲートウェイに対して、機器ＩＤ「１２３４５６」に対応する家電機器（家電機器Ａと称す）と、機器ＩＤ「８９６０２３」に対応する家電機器（家電機器Ｂと称す）とが接続されている。家電機器Ａは、ディスプレイを持たず、ログ情報を提供しており（ログ情報の提供を許諾しており）、現在の電源状態がＯＮ状態であることを示している。家電機器Ｂは、ディスプレイを持ち、ログ情報を提供しており（ログ情報の提供を許諾しており）、現在の電源状態がＯＮ状態であることを示している。
【００７８】
このように、管理情報は、ゲートウェイＩＤと機器ＩＤとを対応付けるとともに、各家電機器ＩＤに対してディスプレイを有しているか否か、ログ情報を提供するか否か及び電源状態がＯＮ状態であるか否かを対応付ける。
【００７９】
また、管理情報保持部２０２は、通知情報保持部２０３に保持されている通知情報を送信するための宛先情報を保持し、管理している。
【００８０】
図８は、実施の形態１における宛先情報の一例を示す図である。図８の例では、機器ＩＤ「０１４２９」に対応する家電機器の宛先情報として、メールアドレス「ａｂｃｄｅｆｇ＠ｊｐ．ａａａ．ｃｏｍ」が対応付けて管理されていることを示し、機器ＩＤ「８９６０２３」に対応する家電機器の宛先情報として、ＩＰ（Ｉｎｔｅｒｎｅｔ  Ｐｒｏｔｏｃｏｌ）アドレス「１７３．１６８．５２．１４」が対応付けて管理されていることを示している。このように、宛先情報は、通知情報の送信先である家電機器１０２又は情報機器１０４のメールアドレス又はＩＰアドレスを含む。
【００８１】
さらに、管理情報保持部２０２は、ゲートウェイＩＤと機器ＩＤとの対応付け、家電機器１０２がディスプレイを持つか否か、家電機器１０２がログ情報を提供しているか否か、家電機器１０２の現在の電源状態がＯＮ状態であるか否か、に加えて、ログ情報の提供状況も管理情報として保持し、管理している。
【００８２】
図９は、実施の形態１におけるログ情報の提供状況を含む管理情報の一例を示す図である。
【００８３】
図９の例では、機器ＩＤ「１２３４５６」に対応する家電機器は、ディスプレイを持たず、ログ情報を提供しており（ログ情報の提供を許諾しており）、現在の電源状態がＯＮ状態であり、全てのログ情報の提供を許諾していることを示している。
【００８４】
一方、機器ＩＤ「８９６０２３」に対応する家電機器は、ディスプレイを持ち、ログ情報を提供しており（ログ情報の提供を許諾しており）、現在の電源状態がＯＮ状態であり、複数のログ情報のうち、電源ＯＮ／ＯＦＦに関するログ情報のみの提供を許諾していることを示している。
【００８５】
例えば、ログ情報は、家電機器がテレビである場合、電源がＯＮされた日時、選択されたチャンネル番号、及び電源がＯＦＦされた日時等を含む。図９の例では、電源がＯＮ／ＯＦＦされた日時の提供は許諾しているが、選択されたチャンネル番号の提供は許諾していないことを意味する。
【００８６】
（３）通知情報保持部２０３
通知情報保持部２０３は、ゲートウェイ１０３を介して家電機器１０２又は情報機器１０４へ送信する通知情報を保持している。
【００８７】
図１０は、実施の形態１における通知情報の一例を示す図である。図１０の例では、新たに洗濯機がネットワークに接続された際に、洗濯機のログ情報の収集を許諾するか否かについて、ユーザへ確認するためのメッセージを示している。
【００８８】
図１１は、実施の形態１における通知情報の他の例を示す図である。図１１の例では、家電機器は、既にログ情報の提供（収集）を許諾しているが、一部のログ情報の提供のみを許諾しており、さらなるログ情報の提供（収集）の許諾を求める場合のメッセージを示している。
【００８９】
なお、管理情報保持部２０２と通知情報保持部２０３とは、同一のデータベースであっても、異なるデータベースであってもよい。
【００９０】
（４）判断部２０４
判断部２０４は、送受信部２０１によって受信されたゲートウェイＩＤ及び機器ＩＤと、および管理情報保持部２０２に保持されている管理情報とに基づいて、送受信部２０１によって受信された機器ＩＤに対応する家電機器が新たに接続された機器であるか否かを判断する。
【００９１】
例えば、送受信部２０１によってゲートウェイＩＤ「３２４５６３８９」及び機器ＩＤ「８９６０２３」が受信された場合、判断部２０４は、受信したゲートウェイＩＤ及び機器ＩＤを図７に示す管理情報と照らし合わせ、受信したゲートウェイＩＤ及び機器ＩＤが管理情報に既に存在するか否かを判断する。この例では、既に管理情報にそれらのＩＤが存在するため、判断部２０４は、新たに接続された家電機器ではないと判断する。
【００９２】
また、判断部２０４は、送受信部２０１によって受信されたゲートウェイＩＤと、管理情報保持部２０２に保持されている管理情報とに基づいて、ディスプレイを持つ家電機器又は情報機器が存在するか否かを判断する。
【００９３】
例えば、ゲートウェイＩＤ「３２４５６３８９」が受信された場合、判断部２０４は、受信したゲートウェイＩＤを図７に示す管理情報と照らし合わせ、受信したゲートウェイＩＤに紐付けられた複数の機器の中から、ディスプレイを持つ機器が存在するか否かを判断する。この例では、機器ＩＤ「８９６０２３」の機器がディスプレイを持つため、判断部２０４は、ディスプレイを持つ機器が存在すると判断する。
【００９４】
判断部２０４は、一以上の電気機器（家電機器）を示す機器ＩＤ及び帰属ＩＤ（ゲートウェイＩＤ）を管理する第１のデータベース（管理情報保持部２０２）を用いて、一の電気機器（家電機器１０２）が新規に接続された電気機器であるか否かを判断する。送受信部２０１は、一の電気機器が新規に接続された電気機器であると判断された場合、第２のネットワークを介して、帰属ＩＤ（ゲートウェイＩＤ）に対応付けられており一の電気機器とは異なる情報表示装置に対して、一の電気機器のログ情報が収集されることを許諾するか否かを確認する通知情報を提供する。
【００９５】
なお、情報表示装置は、一以上の電気機器のうちの一の電気機器とは異なるディスプレイを有する他の電気機器であってもよい。他の電気機器は、例えばテレビ等の家電機器であることが好ましい。また、情報表示装置は、情報機器１０４であってもよい。
【００９６】
また、情報表示装置が情報機器１０４である場合、情報表示装置が備えるディスプレイの大きさは、例えば３インチ〜７インチであることが好ましく、情報表示装置が備えるディスプレイの解像度は、例えば４８０×３２０、９６０×６４０又は１１３６×６４０等であることが好ましい。
【００９７】
また、送受信部２０１は、一の電気機器が新規に接続された電気機器であると判断された場合、帰属ＩＤ（ゲートウェイＩＤ）と情報表示装置とを対応付けて管理する第２のデータベース（管理情報保持部２０２）を用いて、一の電気機器の帰属ＩＤに対応する情報表示装置に対して、第２のネットワークを介して、通知情報を提供する。
【００９８】
（５）更新部２０５
更新部２０５は、送受信部２０１によって受信された機器ＩＤに対応する家電機器が、新たに接続された家電機器であると判断部２０４によって判断された場合に、管理情報保持部２０２に保持されている管理情報を更新する。
【００９９】
また、更新部２０５は、送受信部２０１によって受信されたユーザ入力情報に応じて管理情報保持部２０２に保持されている管理情報を更新する。
【０１００】
図１２は、本発明の実施の形態１におけるサーバ装置が保持する管理情報の更新処理の一例を示す図である。図１２において、上部のテーブルは、更新前の管理情報を示し、下部のテーブルは、更新後の管理情報を示す。例えば、送受信部２０１が、機器ＩＤ「６５４９２０」及び「ディスプレイ無し」という家電機器に関する情報を受信して、判断部２０４が、新たに接続された家電機器であると判断し、さらに、送受信部２０１が、ログ情報を収集することを許可する情報を受信した場合、更新部２０５は、図１２に示す通りに管理情報を更新する。さらに、更新部２０５は、新たに接続された家電機器の電源状態がＯＮ状態であるか否かも管理情報に反映させる。図１２の例では、新たに接続された家電機器の現在の電源状態はＯＮ状態であることを示している。
【０１０１】
（６）選択部２０６
選択部２０６は、判断部２０４によってディスプレイを持つ家電機器又は情報機器が存在すると判断された場合に、送受信部２０１によって受信されたゲートウェイＩＤと、管理情報保持部２０２に保持されている管理情報とに基づいて、ゲートウェイＩＤに対応するディスプレイを持つ家電機器及び情報機器を全て選択する。
【０１０２】
また、選択部２０６は、判断部２０４によってディスプレイを持つ家電機器又は情報機器が存在すると判断した場合に、送受信部２０１で受信したゲートウェイＩＤと、管理情報保持部２０２に保持されている管理情報とに基づいて、ゲートウェイＩＤに対応するディスプレイを持つ家電機器及び情報機器のうち、現在の電源状態がＯＮ状態である家電機器及び情報機器を全て選択してもよい。
【０１０３】
（７）制御部２０７
制御部２０７は、上記の送受信部２０１、管理情報保持部２０２、通知情報保持部２０３、判断部２０４、更新部２０５及び選択部２０６を管理及び制御して、サーバ装置１０１の機能を実現する。
【０１０４】
１．３  家電機器１０２の構成
続いて、実施の形態１における家電機器１０２の詳細な構成を説明する。
【０１０５】
図４は、本発明の実施の形態１における家電機器の構成を示す図である。家電機器１０２は、図４に示すように、送受信部３０１、機器ＩＤ保持部３０２、ネットワーク接続検知部３０３及び制御部３０４を備える。
【０１０６】
家電機器１０２は、具体的には図示されていないマイクロプロセッサ、ＲＡＭ、ＲＯＭ及びハードディスクなどから構成される。ＲＡＭ、ＲＯＭ及びハードディスクは、コンピュータプログラムを記憶している。マイクロプロセッサがコンピュータプログラムに従って動作することにより、家電機器１０２の機能が実現される。
【０１０７】
なお、送受信部３０１、機器ＩＤ保持部３０２、ネットワーク接続検知部３０３及び制御部３０４等の各機能ブロックは、典型的には集積回路であるＬＳＩとして実現されてもよい。各機能ブロックは、個別に１チップ化されてもよいし、１以上の機能ブロック又は一部の機能ブロックを含むように１チップ化されてもよい。
【０１０８】
ここでは、ＬＳＩとしたが、集積度の違いにより、ＩＣ、システムＬＳＩ、スーパーＬＳＩ又はウルトラＬＳＩと呼称されることもある。
【０１０９】
また、集積回路化の手法はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ製造後にＬＳＩ内部の回路セルの接続又は設定を再構成可能なリコンフィギュラブル・プロセッサを利用してもよい。
【０１１０】
さらには、半導体技術の進歩又は派生する別技術によりＬＳＩに置き換わる集積回路化の技術が登場すれば、当然、その技術を用いて機能ブロックの集積化を行ってもよい。ＬＳＩに置き換わる集積回路化の技術としては、例えばバイオ技術の適用等が可能性としてありえる。
【０１１１】
最後に、各機能ブロックは、ソフトウェアで実現されてもよいし、ＬＳＩとソフトウェアとの組み合わせで実現されてもよい。また、ソフトウェアは耐タンパ化されていてもよい。
【０１１２】
（１）送受信部３０１
送受信部３０１は、機器ＩＤ保持部３０２に保持されている機器ＩＤをゲートウェイ１０３へ送信する。
【０１１３】
（２）機器ＩＤ保持部３０２
機器ＩＤ保持部３０２は、家電機器を一意に識別するための識別子（機器ＩＤ）を保持する。
【０１１４】
図１３は、実施の形態１における機器ＩＤの一例を示す図である。図１３の例では、機器ＩＤは、当該識別子が機器ＩＤであることを示す情報（ヘッダ部）「０１」と、機器ＩＤ（データ部）「８９６０２３」と、ディスプレイを持つか否かなどの家電機器の特徴を示す情報（ここでは「ディスプレイ有り」という情報）を含む。
【０１１５】
（３）ネットワーク接続検知部３０３
ネットワーク接続検知部３０３は、家電機器１０２がネットワークに接続されたこと（ゲートウェイ１０３へ接続されたこと）を検知する。
【０１１６】
（４）制御部３０４
制御部３０４は、上記の送受信部３０１、機器ＩＤ保持部３０２及びネットワーク接続検知部３０３を管理及び制御して、家電機器１０２の機能を実現する。
【０１１７】
１．４  ゲートウェイ１０３の構成
続いて、実施の形態１におけるゲートウェイ１０３の詳細な構成を説明する。
【０１１８】
図５は、本発明の実施の形態１におけるゲートウェイの構成を示す図である。ゲートウェイ１０３は、図５に示すように、送受信部４０１、ゲートウェイＩＤ保持部４０２及び制御部４０３を備える。
【０１１９】
ゲートウェイ１０３は、具体的には図示されていないマイクロプロセッサ、ＲＡＭ、ＲＯＭ及びハードディスクなどから構成される。ＲＡＭ、ＲＯＭ及びハードディスクは、コンピュータプログラムを記憶している。マイクロプロセッサがコンピュータプログラムに従って動作することにより、ゲートウェイ１０３の機能が実現される。
【０１２０】
なお、送受信部４０１、ゲートウェイＩＤ保持部４０２及び制御部４０３等の各機能ブロックは、典型的には集積回路であるＬＳＩとして実現されてもよい。各機能ブロックは、個別に１チップ化されてもよいし、１以上の機能ブロック又は一部の機能ブロックを含むように１チップ化されてもよい。
【０１２１】
ここでは、ＬＳＩとしたが、集積度の違いにより、ＩＣ、システムＬＳＩ、スーパーＬＳＩ又はウルトラＬＳＩと呼称されることもある。
【０１２２】
また、集積回路化の手法はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ製造後にＬＳＩ内部の回路セルの接続又は設定を再構成可能なリコンフィギュラブル・プロセッサを利用してもよい。
【０１２３】
さらには、半導体技術の進歩又は派生する別技術によりＬＳＩに置き換わる集積回路化の技術が登場すれば、当然、その技術を用いて機能ブロックの集積化を行ってもよい。ＬＳＩに置き換わる集積回路化の技術としては、例えばバイオ技術の適用等が可能性としてありえる。
【０１２４】
最後に、各機能ブロックは、ソフトウェアで実現されてもよいし、ＬＳＩとソフトウェアとの組み合わせで実現されてもよい。また、ソフトウェアは耐タンパ化されていてもよい。
【０１２５】
（１）送受信部４０１
送受信部４０１は、家電機器１０２から、当該家電機器１０２の機器ＩＤを受信する。
【０１２６】
また、送受信部４０１は、家電機器１０２から受信した機器ＩＤと、ゲートウェイＩＤ保持部４０２に保持されているゲートウェイＩＤとをサーバ装置１０１へ送信する。
【０１２７】
（２）ゲートウェイＩＤ保持部４０２
ゲートウェイＩＤ保持部４０２は、ゲートウェイ１０３を一意に識別するための識別子（ゲートウェイＩＤ）を保持する。
【０１２８】
図１４は、実施の形態１におけるゲートウェイＩＤの一例を示す図である。図１４の例では、ゲートウェイＩＤは、当該識別子がゲートウェイＩＤであることを示す情報（ヘッダ部）「１０」と、ゲートウェイＩＤ（データ部）「３２４５６３８９」と、ディスプレイを持つか否かなどのゲートウェイの特徴を示す情報（ここでは「ディスプレイ無し」という情報）を含む。
【０１２９】
（３）制御部４０３
制御部４０３は、上記の送受信部４０１及びゲートウェイＩＤ保持部４０２を管理及び制御して、ゲートウェイ１０３の機能を実現する。
【０１３０】
１．５  情報機器１０４の構成
続いて、実施の形態１における情報機器１０４の詳細な構成を説明する。
【０１３１】
図６は、本発明の実施の形態１における情報機器の構成を示す図である。情報機器１０４は、図６に示すように、送受信部５０１、表示部５０２、入力受付部５０３及び制御部５０４を備える。
【０１３２】
情報機器１０４は、具体的には図示されていないマイクロプロセッサ、ＲＡＭ、ＲＯＭ及びハードディスクなどから構成される。ＲＡＭ、ＲＯＭ及びハードディスクは、コンピュータプログラムを記憶している。マイクロプロセッサがコンピュータプログラムに従って動作することにより、情報機器１０４の機能が実現される。
【０１３３】
なお、送受信部５０１、表示部５０２、入力受付部５０３及び制御部５０４等の各機能ブロックは、典型的には集積回路であるＬＳＩとして実現されてもよい。各機能ブロックは、個別に１チップ化されてもよいし、１以上の機能ブロック又は一部の機能ブロックを含むように１チップ化されてもよい。
【０１３４】
ここでは、ＬＳＩとしたが、集積度の違いにより、ＩＣ、システムＬＳＩ、スーパーＬＳＩ又はウルトラＬＳＩと呼称されることもある。
【０１３５】
また、集積回路化の手法はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ製造後にＬＳＩ内部の回路セルの接続又は設定を再構成可能なリコンフィギュラブル・プロセッサを利用してもよい。
【０１３６】
さらには、半導体技術の進歩又は派生する別技術によりＬＳＩに置き換わる集積回路化の技術が登場すれば、当然、その技術を用いて機能ブロックの集積化を行ってもよい。ＬＳＩに置き換わる集積回路化の技術としては、例えばバイオ技術の適用等が可能性としてありえる。
【０１３７】
最後に、各機能ブロックは、ソフトウェアで実現されてもよいし、ＬＳＩとソフトウェアとの組み合わせで実現されてもよい。また、ソフトウェアは耐タンパ化されていてもよい。
【０１３８】
（１）送受信部５０１
送受信部５０１は、サーバ装置１０１から、利用者へ提示するための通知情報を受信する。また、送受信部５０１は、入力受付部５０３で受け付けた入力情報をサーバ装置１０１へ送信する。
【０１３９】
（２）表示部５０２
表示部５０２は、送受信部５０１で受信した通知情報を利用者へ提示する画面を表示する。なお、表示する通知情報の一例については図１０又は図１１に示す通りである。
【０１４０】
（３）入力受付部５０３
入力受付部５０３は、表示部５０２が表示して通知情報（メッセージ）に対するユーザのレスポンス（入力）を受け付ける。
【０１４１】
例えば、図１０の例では、入力受付部５０３は、ログ情報の提供に関する確認メッセージに対して、ユーザがログ情報の提供を許諾するか（図１０の例では「はい」）、ユーザがログ情報の提供を許諾しないか（図１０の例では「いいえ」）を受け付ける。
【０１４２】
また、１つの家電機器に対して複数のログ情報が提供可能である場合、入力受付部５０３は、複数のログ情報のそれぞれについて提供するか否かの選択を受け付ける。
【０１４３】
（４）制御部５０４
制御部５０４は、上記の送受信部５０１、表示部５０２及び入力受付部５０３を管理及び制御して、情報機器１０４の機能を実現する。
【０１４４】
１．６  情報管理システムの動作
家電機器１０２がネットワークに接続され、当該家電機器１０２のログ情報の提供に関して確認する動作の一例について、図１５〜図１９を用いて説明する。
【０１４５】
図１５は、本発明の実施の形態１における情報管理システムの動作を説明するための第１のフローチャートであり、図１６は、本発明の実施の形態１における情報管理システムの動作を説明するための第２のフローチャートであり、図１７は、本発明の実施の形態１における情報管理システムの動作を説明するための第３のフローチャートである。
【０１４６】
まず、家電機器１０２のネットワーク接続検知部３０３は、家電機器１０２がネットワークに接続されたこと（ゲートウェイ１０３に接続されたこと）を検知する（ステップＳ１）。
【０１４７】
ネットワークに接続されたことが検知されると、送受信部３０１は、機器ＩＤ保持部３０２に保持されている機器ＩＤを、ゲートウェイ１０３へ送信する（ステップＳ２）。
【０１４８】
次に、ゲートウェイ１０３の送受信部４０１は、家電機器１０２によって送信された機器ＩＤを受信する（ステップＳ３）。
【０１４９】
次に、送受信部４０１は、受信した機器ＩＤと、ゲートウェイＩＤ保持部４０２に保持されているゲートウェイＩＤとを、サーバ装置１０１へ送信する（ステップＳ４）。
【０１５０】
次に、サーバ装置１０１の送受信部２０１は、ゲートウェイ１０３によって送信された機器ＩＤ及びゲートウェイＩＤを受信する（ステップＳ５）。
【０１５１】
次に、判断部２０４は、受信した機器ＩＤ及びゲートウェイＩＤと、管理情報保持部２０２に保持されている管理情報とに基づいて、新規に家電機器が接続されたか否か、すなわち、受信した機器ＩＤに対応する家電機器が新たに接続された家電機器であるか否かを判断する（ステップＳ６）。
【０１５２】
すなわち、判断部２０４は、管理情報保持部２０２に保持されている管理情報を参照し、受信したゲートウェイＩＤに対応付けられている複数の機器ＩＤの中に、受信した機器ＩＤと一致する機器ＩＤがあるか否かを判断する。受信したゲートウェイＩＤに対応付けられている複数の機器ＩＤの中に、受信した機器ＩＤと一致する機器ＩＤがある場合、判断部２０４は、受信した機器ＩＤに対応する家電機器が新たに接続された家電機器ではないと判断する。また、受信したゲートウェイＩＤに対応付けられている複数の機器ＩＤの中に、受信した機器ＩＤと一致する機器ＩＤがない場合、判断部２０４は、受信した機器ＩＤに対応する家電機器が新たに接続された家電機器であると判断する。
【０１５３】
ここで、新規に家電機器が接続されていないと判断された場合、すなわち、受信した機器ＩＤに対応する家電機器が新たに接続された家電機器ではないと判断された場合（ステップＳ６でＮＯ）、処理を終了する。
【０１５４】
一方、新規に家電機器が接続されたと判断された場合、すなわち、受信した機器ＩＤに対応する家電機器が新たに接続された家電機器であると判断された場合（ステップＳ６でＹＥＳ）、更新部２０５は、受信した機器ＩＤ及びゲートウェイＩＤに基づき、管理情報保持部２０２に保持されている管理情報を更新する（ステップＳ７）。すなわち、更新部２０５は、受信した機器ＩＤ及びゲートウェイＩＤを管理情報保持部２０２に記憶する。
【０１５５】
次に、判断部２０４は、受信したゲートウェイＩＤと、管理情報保持部２０２に保持されている管理情報とに基づいて、ゲートウェイ１０３と紐付けられた１以上の家電機器１０２又は情報機器１０４の中に、通知可能な機器が存在するか否か、すなわち、ディスプレイを持つ家電機器１０２又は情報機器１０４が存在するか否かを判断する（ステップＳ８）。ここで、ディスプレイを持つ家電機器１０２又は情報機器１０４が存在しないと判断された場合（ステップＳ８でＮＯ）、処理を終了する。
【０１５６】
一方、ディスプレイを持つ家電機器１０２又は情報機器１０４が存在すると判断された場合（ステップＳ８でＹＥＳ）、送受信部２０１は、通知情報保持部２０３に保持されている通知情報を、ディスプレイを持つ家電機器１０２又は情報機器１０４へ送信する（ステップＳ９）。なお、ここでは、送受信部２０１は、情報機器１０４へ通知情報を送信する。また、通知情報保持部２０３は、機器ＩＤ又は家電機器の種類に応じた通知情報を記憶してもよく、送受信部２０１は、受信した機器ＩＤに対応する通知情報、又は、受信した機器ＩＤによって特定される家電機器の種類に対応する通知情報を通知情報保持部２０３から読み出してもよい。
【０１５７】
次に、情報機器１０４の送受信部５０１は、サーバ装置１０１によって送信された通知情報を受信する（ステップＳ１０）。
【０１５８】
次に、表示部５０２は、受信した通知情報を表示する（ステップＳ１１）。
【０１５９】
次に、入力受付部５０３は、通知情報に対するユーザの入力（レスポンス）を受け付ける（ステップＳ１２）。
【０１６０】
次に、送受信部５０１は、入力受付部５０３によって受け付けたユーザによる入力情報を、サーバ装置１０１へ送信する（ステップＳ１３）。このとき、入力情報は、ログ情報を提供するか否かを示す許諾情報を含む。
【０１６１】
次に、サーバ装置１０１の送受信部２０１は、情報機器１０４によって送信された入力情報を受信する（ステップＳ１４）。
【０１６２】
次に、更新部２０５は、入力情報に含まれるユーザのログ情報を提供するか否かを示す許諾情報に応じて、管理情報保持部２０２に保持されている管理情報を更新する（ステップＳ１５）。
【０１６３】
次に、サーバ装置１０１の判断部２０４は、受信したゲートウェイＩＤと、管理情報保持部２０２に保持されている管理情報とに基づいて、提供可能な複数のログ情報のうち、一部のログ情報のみを提供する家電機器が存在するか否かを判断する（ステップＳ１６）。すなわち、家電機器は、複数のログ情報を提供可能である場合、複数のログ情報について個別に提供するか否かを設定することができる。ここで、提供可能な複数のログ情報のうち、一部のログ情報のみを提供する家電機器が存在しないと判断された場合（ステップＳ１６でＮＯ）、処理を終了する。
【０１６４】
一方、提供可能な複数のログ情報のうち、一部のログ情報のみを提供する家電機器が存在すると判断された場合（ステップＳ１６でＹＥＳ）、送受信部２０１は、通知情報保持部２０３に保持されている通知情報を、情報機器１０４へ送信する（ステップＳ１７）。このように、送受信部２０１は、一以上の電気機器（家電機器１０２）のうち、ログ情報の少なくとも一部が収集されることを許諾していない他の電気機器についてログ情報が収集されることを許諾するか否かを確認する通知情報を、情報表示装置（情報機器１０４）に対して提供する。
【０１６５】
次に、情報機器１０４の送受信部５０１は、サーバ装置１０１によって送信された通知情報を受信する（ステップＳ１８）。
【０１６６】
次に、表示部５０２は、受信した通知情報を表示する（ステップＳ１９）。
【０１６７】
次に、入力受付部５０３は、通知情報に対応するユーザの入力（レスポンス）を受け付ける（ステップＳ２０）。
【０１６８】
次に、送受信部５０１は、入力受付部５０３によって受け付けたユーザによる入力情報を、サーバ装置１０１へ送信する（ステップＳ２１）。
【０１６９】
次に、サーバ装置１０１の送受信部２０１は、情報機器１０４によって送信された入力情報を受信する（ステップＳ２２）。
【０１７０】
次に、更新部２０５は、入力情報に含まれるユーザのログ情報を提供するか否かを示す許諾情報に応じて、管理情報保持部２０２に保持されている管理情報を更新する（ステップＳ２３）。
【０１７１】
なお、サーバ装置１０１の送受信部２０１は、通知情報に基づいて一の電気機器（家電機器１０２）のログ情報が収集されることが許諾された場合、一の電気機器に対してログ情報の送信を許可するログ収集許可情報を送信する。家電機器１０２の送受信部３０１は、サーバ装置１０１によって送信されたログ収集許可情報を受信する。家電機器１０２の制御部３０４は、ログ収集許可情報に基づいて、収集したログ情報を送信する。なお、ログ情報が、複数のログ情報を含む場合、ログ収集許可情報は、複数のログ情報毎に送信を許可するか否かを示す情報を含む。
【０１７２】
また、サーバ装置１０１の送受信部２０１は、通知情報に応答して、一の電気機器（家電機器１０２）のログ情報の収集を許諾する許諾情報（入力情報）を、情報表示装置（情報機器１０４）から第２のネットワークを介して受信する。そして、サーバ装置１０１の送受信部２０１は、許諾情報に基づいて、第１のネットワークを介して一の電気機器のログ情報を収集する。なお、第１のネットワークと第２のネットワークとは、同一ネットワークであってもよく、また、異なるネットワークであってもよい。
【０１７３】
ここで、図１６のステップＳ９及び図１７のステップＳ１７における通知情報送信処理の動作についてさらに説明する。
【０１７４】
図１８は、図１６のステップＳ９及び図１７のステップＳ１７における通知情報送信処理の動作を説明するためのフローチャートである。
【０１７５】
まず、サーバ装置１０１の選択部２０６は、受信したゲートウェイＩＤと、管理情報保持部２０２に保持されている管理情報とに基づいて、ディスプレイを持つ家電機器１０２（通知可能な家電機器１０２）又は情報機器１０４を全て選択する（ステップＳ３１）。
【０１７６】
次に、送受信部２０１は、選択部２０６によって選択された家電機器１０２又は情報機器１０４へ、通知情報保持部２０３に保持されている通知情報を送信する（ステップＳ３２）。
【０１７７】
このように、通知情報は、複数の情報表示装置（ディスプレイを持つ家電機器１０２又は情報機器１０４）すべてに提供されてもよい。
【０１７８】
続いて、図１６のステップＳ９及び図１７のステップＳ１７における通知情報送信処理の他の動作についてさらに説明する。
【０１７９】
図１９は、図１６のステップＳ９及び図１７のステップＳ１７における通知情報送信処理の他の動作を説明するためのフローチャートである。
【０１８０】
まず、サーバ装置１０１の選択部２０６は、受信したゲートウェイＩＤと、管理情報保持部２０２に保持されている管理情報とに基づいて、ディスプレイを持つ家電機器１０２（通知可能な家電機器１０２）又は情報機器１０４のうち、電源状態がＯＮ状態である機器を選択する（ステップＳ４１）。
【０１８１】
次に、送受信部２０１は、選択部２０６によって選択された家電機器１０２又は情報機器１０４へ、通知情報保持部２０３に保持されている通知情報を送信する（ステップＳ４２）。
【０１８２】
このように、サーバ装置１０１の送受信部２０１は、第１のネットワークを介して複数の情報表示装置（ディスプレイを持つ家電機器１０２又は情報機器１０４）から、電源がＯＮ状態又はＯＦＦ状態のいずれであるかを示す電源状態を取得する。選択部２０６は、取得された電源状態に基づいて複数の情報表示装置の中で電源がＯＮ状態である情報表示装置を特定する。送受信部２０１は、特定された情報表示装置に通知情報を提供する。
【０１８３】
なお、サーバ装置１０１の送受信部２０１は、第１のネットワークを介して複数の情報表示装置（ディスプレイを持つ家電機器１０２又は情報機器１０４）から、電源がＯＮ状態又はＯＦＦ状態のいずれであるかを示す電源状態と、操作中であるか否かを示す操作状況とを取得してもよい。この場合、選択部２０６は、取得された電源状態及び操作状況に基づいて複数の情報表示装置の中で電源がＯＮ状態であり、かつ操作中である情報表示装置を特定する。送受信部２０１は、特定された情報表示装置に通知情報を提供する。
【０１８４】
なお、実施の形態１では、家電機器１０２のログ情報の送受信について述べていないが、家電機器１０２のログ情報は、家電機器１０２からゲートウェイ１０３を介してサーバ装置１０１へ送信されてもよい。このとき、家電機器１０２、ゲートウェイ１０３及びサーバ装置１０１におけるログ情報の送受信は、それぞれ送受信部２０１、送受信部３０１及び送受信部４０１によって行われてもよい。また、サーバ装置１０１の管理情報保持部２０２は、受信したログ情報を保持してもよい。
【０１８５】
（実施の形態２）
２．１  情報管理システムの構成
実施の形態２における情報管理システムは、図２に示すサーバ装置１０１、家電機器１０２、ゲートウェイ１０３及び情報機器１０４の代わりに、サーバ装置２１０１、家電機器２２０１、ゲートウェイ２３０１及び情報機器１０４を備える（図示せず）。
【０１８６】
なお、情報機器１０４の構成は、実施の形態１と同様であるため、その説明を省略する。
【０１８７】
２．２  サーバ装置２１０１の構成
続いて、実施の形態２におけるサーバ装置２１０１の詳細な構成を説明する。
【０１８８】
図２０は、本発明の実施の形態２におけるサーバ装置の構成を示す図である。サーバ装置２１０１は、図２０に示すように、通知情報保持部２０３、判断部２０４、更新部２０５、選択部２０６、送受信部２１０２、管理情報保持部２１０３、フィルタリング部２１０４及び制御部２１０５を備える。
【０１８９】
サーバ装置２１０１は、具体的には図示されていないマイクロプロセッサ、ＲＡＭ、ＲＯＭ及びハードディスクなどから構成される。ＲＡＭ、ＲＯＭ及びハードディスクは、コンピュータプログラムを記憶している。マイクロプロセッサがコンピュータプログラムに従って動作することにより、サーバ装置２１０１の機能が実現される。
【０１９０】
なお、サーバ装置２１０１の通知情報保持部２０３、判断部２０４、更新部２０５、選択部２０６、送受信部２１０２、管理情報保持部２１０３、フィルタリング部２１０４及び制御部２１０５等の各機能ブロックは、典型的には集積回路であるＬＳＩとして実現されてもよい。各機能ブロックは、個別に１チップ化されてもよいし、１以上の機能ブロック又は一部の機能ブロックを含むように１チップ化されてもよい。
【０１９１】
ここでは、ＬＳＩとしたが、集積度の違いにより、ＩＣ、システムＬＳＩ、スーパーＬＳＩ又はウルトラＬＳＩと呼称されることもある。
【０１９２】
また、集積回路化の手法はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ製造後にＬＳＩ内部の回路セルの接続又は設定を再構成可能なリコンフィギュラブル・プロセッサを利用してもよい。
【０１９３】
さらには、半導体技術の進歩又は派生する別技術によりＬＳＩに置き換わる集積回路化の技術が登場すれば、当然、その技術を用いて機能ブロックの集積化を行ってもよい。ＬＳＩに置き換わる集積回路化の技術としては、例えばバイオ技術の適用等が可能性としてありえる。
【０１９４】
最後に、各機能ブロックは、ソフトウェアで実現されてもよいし、ＬＳＩとソフトウェアとの組み合わせで実現されてもよい。また、ソフトウェアは耐タンパ化されていてもよい。
【０１９５】
なお、通知情報保持部２０３、判断部２０４、更新部２０５及び選択部２０６の構成は、実施の形態１と同様であるため、その説明を省略する。
【０１９６】
（１）送受信部２１０２
送受信部２１０２は、送受信部２０１が有する機能を有する。加えて、送受信部２１０２は、ゲートウェイ２３０１から、家電機器２２０１のログ情報を受信する。
【０１９７】
（２）管理情報保持部２１０３
管理情報保持部２１０３は、管理情報保持部２０２が有する機能を有する。加えて、管理情報保持部２１０３は、送受信部２１０２によって受信された家電機器２２０１のログ情報を記録及び保持する。
【０１９８】
（３）フィルタリング部２１０４
フィルタリング部２１０４は、送受信部２１０２によって受信されたゲートウェイＩＤ及び機器ＩＤと、管理情報保持部２１０３に保持されている管理情報とに基づいて、受信したログ情報のうち、記録すべきログ情報を選択する。
【０１９９】
図２２は、実施の形態２におけるログ情報の選択処理について説明するための図である。図２２における上部のテーブルは、サーバ装置２１０１が受信したログ情報を示し、図２２における下部のテーブルは、受信したログ情報のうち、サーバ装置２１０１が実際に記憶されるログ情報を示す。
【０２００】
例えば図９の例では、機器ＩＤ「８９６０２３」に対応する家電機器は、電源ＯＮ／ＯＦＦに関するログ情報のみの提供を許諾している。従って、例えば、図２２に示す通り、機器ＩＤ「８９６０２３」に対応する家電機器から、電源がＯＮされた日時、４チャンネル（４ｃｈ）の番組を選択した日時、その時の番組名、６チャンネル（６ｃｈ）の番組を選択した日時、その時の番組名、及び電源がＯＦＦされた日時が受信された場合、フィルタリング部２１０４は、電源がＯＮされた日時及び電源がＯＦＦされた日時のみを選択する。
【０２０１】
このように、サーバ装置２１０１は、家電機器１０２から提供可能な全てのログ情報を受信し、受信した全てのログ情報の中から、ユーザが許諾しているログ情報のみを選択して記憶する。そして、サーバ装置２１０１は、ユーザが許諾しているログ情報以外のログ情報を破棄する。
【０２０２】
（４）制御部２１０５
制御部２１０５は、上記の通知情報保持部２０３、判断部２０４、更新部２０５、選択部２０６、送受信部２１０２、管理情報保持部２１０３及びフィルタリング部２１０４を管理及び制御して、サーバ装置２１０１の機能を実現する。
【０２０３】
２．３  家電機器２２０１の構成
続いて、実施の形態２における家電機器２２０１の詳細な構成を説明する。
【０２０４】
図２１は、本発明の実施の形態２における家電機器の構成を示す図である。家電機器２２０１は、図２１に示すように、機器ＩＤ保持部３０２、ネットワーク接続検知部３０３、送受信部２２０２、ログ取得部２２０３及び制御部２２０４を備える。
【０２０５】
家電機器２２０１は、具体的には図示されていないマイクロプロセッサ、ＲＡＭ、ＲＯＭ及びハードディスクなどから構成される。ＲＡＭ、ＲＯＭ及びハードディスクは、コンピュータプログラムを記憶している。マイクロプロセッサがコンピュータプログラムに従って動作することにより、家電機器２２０１の機能が実現される。
【０２０６】
なお、機器ＩＤ保持部３０２、ネットワーク接続検知部３０３、送受信部２２０２、ログ取得部２２０３及び制御部２２０４等の各機能ブロックは、典型的には集積回路であるＬＳＩとして実現されてもよい。各機能ブロックは、個別に１チップ化されてもよいし、１以上の機能ブロック又は一部の機能ブロックを含むように１チップ化されてもよい。
【０２０７】
ここでは、ＬＳＩとしたが、集積度の違いにより、ＩＣ、システムＬＳＩ、スーパーＬＳＩ又はウルトラＬＳＩと呼称されることもある。
【０２０８】
また、集積回路化の手法はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ製造後にＬＳＩ内部の回路セルの接続又は設定を再構成可能なリコンフィギュラブル・プロセッサを利用してもよい。
【０２０９】
さらには、半導体技術の進歩又は派生する別技術によりＬＳＩに置き換わる集積回路化の技術が登場すれば、当然、その技術を用いて機能ブロックの集積化を行ってもよい。ＬＳＩに置き換わる集積回路化の技術としては、例えばバイオ技術の適用等が可能性としてありえる。
【０２１０】
最後に、各機能ブロックは、ソフトウェアで実現されてもよいし、ＬＳＩとソフトウェアとの組み合わせで実現されてもよい。また、ソフトウェアは耐タンパ化されていてもよい。
【０２１１】
なお、機器ＩＤ保持部３０２及びネットワーク接続検知部３０３の構成は、実施の形態１と同様であるため、その説明を省略する。
【０２１２】
（１）送受信部２２０２
送受信部２２０２は、送受信部３０１が有する機能を有する。加えて、送受信部２２０２は、家電機器２２０１のログ情報をゲートウェイ２３０１に送信する。
【０２１３】
（２）ログ取得部２２０３
ログ取得部２２０３は、当該家電機器２２０１の全てのログ情報を取得する。ここで、例えば、ログ情報は、家電機器がテレビである場合、電源がＯＮされた日時、選択されたチャンネル番号、視聴された番組の番組名、電源がＯＦＦされた日時、閲覧されたインターネット上のウェブサイトのサイト名、当該ウェブサイトのＵＲＬ、及び当該ウェブサイトが閲覧された日時等を含む。
【０２１４】
（３）制御部２２０４
制御部２２０４は、上記の機器ＩＤ保持部３０２、ネットワーク接続検知部３０３、送受信部２２０２及びログ取得部２２０３を管理及び制御して、家電機器２２０１の機能を実現する。
【０２１５】
２．４  ゲートウェイ２３０１の構成
続いて、実施の形態２におけるゲートウェイ２３０１の構成について、実施の形態１におけるゲートウェイ１０３との差分のみ説明する。ゲートウェイ２３０１における送受信部は、ゲートウェイ１０３の送受信部４０１が有する機能を有する。加えて、送受信部は、家電機器２２０１によって送信された当該家電機器２２０１のログ情報を受信する。
【０２１６】
また、ゲートウェイ２３０１における送受信部は、家電機器２２０１から受信したログ情報をサーバ装置２１０１へ送信する機能も有する。
【０２１７】
２．５  情報管理システムの動作
家電機器２２０１がログ情報を取得して、サーバ装置２１０１が、取得したログ情報を保持する動作の一例について、図２３を用いて説明する。
【０２１８】
図２３は、本発明の実施の形態２における情報管理システムの動作を説明するためのフローチャートである。
【０２１９】
まず、家電機器２２０１のログ取得部２２０３は、当該家電機器２２０１の全てのログ情報を取得する（ステップＳ５１）。
【０２２０】
次に、送受信部２２０２は、ログ取得部２２０３によって取得されたログ情報と機器ＩＤ保持部３０２に保持されている機器ＩＤとを、ゲートウェイ２３０１へ送信する（ステップＳ５２）。
【０２２１】
次に、ゲートウェイ２３０１の送受信部４０１は、家電機器２２０１によって送信されたログ情報及び機器ＩＤを受信する（ステップＳ５３）。
【０２２２】
次に、送受信部４０１は、受信したログ情報、機器ＩＤ、及びゲートウェイＩＤ保持部４０２に保持されているゲートウェイＩＤを、サーバ装置２１０１へ送信する（ステップＳ５４）。
【０２２３】
次に、サーバ装置２１０１の送受信部２１０２は、ゲートウェイ２３０１によって送信されたログ情報、機器ＩＤ及びゲートウェイＩＤを受信する（ステップＳ５５）。
【０２２４】
次に、フィルタリング部２１０４は、送受信部２１０２によって受信されたログ情報、機器ＩＤ及びゲートウェイＩＤと、管理情報保持部２１０３に保持されている管理情報とに基づいて、受信したログ情報のうち記録するログ情報を選択する（ステップＳ５６）。
【０２２５】
次に、更新部２０５は、フィルタリング部２１０４によって選択されたログ情報を管理情報保持部２１０３に記憶し、管理情報保持部２１０３に保持されている管理情報（記録ログ）を更新する（ステップＳ５７）。
【０２２６】
ここで、管理情報保持部２１０３に保持される管理情報（記録ログ）について、図２２を用いて説明する。図２２の例では、機器ＩＤごとにログ情報が管理されており、機器ＩＤ「８９６０２３」に対応する家電機器の電源が、２０１３年４月４日１３時００分にＯＮされ、２０１３年４月４日１４時４０分にＯＦＦされたことを示している。また、図２２の例では、フィルタリング部２１０４によって、受信したログ情報の中から、記録するログ情報が選択され、チャンネル番号及び番組名に関するログ情報は記録されず、電源状態に関するログ情報のみが記録されることを示している。
【０２２７】
このように、サーバ装置は、家電機器から全てのログ情報を取得し、取得したログ情報の中から、収集が許諾されているログ情報のみを記憶する。そのため、収集が許諾されているログ情報を家電機器において選択する必要がなく、家電機器に対して特別な設定を行う必要がなくなり、家電機器の構成を簡略化することができる。
【０２２８】
（実施の形態３）
３．１  情報管理システムの構成
実施の形態３における情報管理システムは、図２に示すサーバ装置１０１、家電機器１０２、ゲートウェイ１０３及び情報機器１０４の代わりに、サーバ装置１０１、家電機器２５０１、ゲートウェイ２３０１及び情報機器１０４を備える（図示せず）。
【０２２９】
なお、サーバ装置１０１及び情報機器１０４の構成は、実施の形態１と同様であり、ゲートウェイ２３０１の構成は、実施の形態２と同様であるため、その説明を省略する。
【０２３０】
３．２  家電機器２５０１の構成
続いて、実施の形態３における家電機器２５０１の詳細な構成を説明する。
【０２３１】
図２４は、本発明の実施の形態３における家電機器の構成を示す図である。家電機器２５０１は、図２４に示すように、機器ＩＤ保持部３０２、ネットワーク接続検知部３０３、送受信部２２０２、ログ取得部２２０３、フィルタリング部２５０２、フィルタリング情報保持部２５０３及び制御部２５０４を備える。
【０２３２】
家電機器２５０１は、具体的には図示されていないマイクロプロセッサ、ＲＡＭ、ＲＯＭ及びハードディスクなどから構成される。ＲＡＭ、ＲＯＭ及びハードディスクは、コンピュータプログラムを記憶している。マイクロプロセッサがコンピュータプログラムに従って動作することにより、家電機器２５０１の機能が実現される。
【０２３３】
なお、機器ＩＤ保持部３０２、ネットワーク接続検知部３０３、送受信部２２０２、ログ取得部２２０３、フィルタリング部２５０２、フィルタリング情報保持部２５０３及び制御部２５０４等の各機能ブロックは、典型的には集積回路であるＬＳＩとして実現されてもよい。各機能ブロックは、個別に１チップ化されてもよいし、１以上の機能ブロック又は一部の機能ブロックを含むように１チップ化されてもよい。
【０２３４】
ここでは、ＬＳＩとしたが、集積度の違いにより、ＩＣ、システムＬＳＩ、スーパーＬＳＩ又はウルトラＬＳＩと呼称されることもある。
【０２３５】
また、集積回路化の手法はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ製造後にＬＳＩ内部の回路セルの接続又は設定を再構成可能なリコンフィギュラブル・プロセッサを利用してもよい。
【０２３６】
さらには、半導体技術の進歩又は派生する別技術によりＬＳＩに置き換わる集積回路化の技術が登場すれば、当然、その技術を用いて機能ブロックの集積化を行ってもよい。ＬＳＩに置き換わる集積回路化の技術としては、例えばバイオ技術の適用等が可能性としてありえる。
【０２３７】
最後に、各機能ブロックは、ソフトウェアで実現されてもよいし、ＬＳＩとソフトウェアとの組み合わせで実現されてもよい。また、ソフトウェアは耐タンパ化されていてもよい。
【０２３８】
なお、機器ＩＤ保持部３０２及びネットワーク接続検知部３０３の構成は実施の形態１と同様であり、送受信部２２０２及びログ取得部２２０３の構成は実施の形態２と同様であるため、その説明を省略する。
【０２３９】
（１）フィルタリング部２５０２
フィルタリング部２５０２は、ログ取得部２２０３によって取得されたログ情報と、フィルタリング情報保持部２５０３に保持されているフィルタリング情報とに基づいて、ゲートウェイ２３０１へ送信するログ情報を選択する。
【０２４０】
（２）フィルタリング情報保持部２５０３
フィルタリング情報保持部２５０３は、当該家電機器のログ情報の提供状況を示すフィルタリング情報を保持し、管理している。
【０２４１】
図２５は、実施の形態３におけるフィルタリング情報の一例を示す図である。図２５の例では、当該家電機器の機器ＩＤは「８９６０２３」であり、電源状態に関するログ情報の提供のみが許諾されていることを示している。このように、フィルタリング情報保持部２５０３は、機器ＩＤと、機器ＩＤに対応する家電機器のログ情報の提供状況とを対応付けたフィルタリング情報を記憶する。
【０２４２】
（３）制御部２５０４
制御部２５０４は、上記の機器ＩＤ保持部３０２、ネットワーク接続検知部３０３、送受信部２２０２、ログ取得部２２０３、フィルタリング部２５０２、フィルタリング情報保持部２５０３及び制御部２５０４を管理及び制御して、家電機器２５０１の機能を実現する。
【０２４３】
３．３  情報管理システムの動作
家電機器２５０１がログ情報を取得して、サーバ装置１０１が、取得したログ情報を保持する動作の一例について、図２６を用いて説明する。
【０２４４】
図２６は、本発明の実施の形態３における情報管理システムの動作を説明するためのフローチャートである。
【０２４５】
まず、家電機器２５０１のログ取得部２２０３は、当該家電機器２５０１の全てのログ情報を取得する（ステップＳ６１）。
【０２４６】
次に、フィルタリング部２５０２は、ログ取得部２２０３によって取得されたログ情報と、フィルタリング情報保持部２５０３に保持されているフィルタリング情報とに基づいて、取得したログ情報のうちゲートウェイ２３０１へ送信するログ情報を選択する（ステップＳ６２）。
【０２４７】
次に、送受信部２２０２は、フィルタリング部２５０２によって選択されたログ情報と機器ＩＤ保持部３０２に保持されている機器ＩＤとを、ゲートウェイ２３０１へ送信する（ステップＳ６３）。
【０２４８】
次に、ゲートウェイ２３０１の送受信部４０１は、家電機器２５０１によって送信されたログ情報及び機器ＩＤを受信する（ステップＳ６４）。
【０２４９】
次に、送受信部４０１は、受信したログ情報、機器ＩＤ、及びゲートウェイＩＤ保持部４０２に保持されているゲートウェイＩＤを、サーバ装置１０１へ送信する（ステップＳ６５）。
【０２５０】
サーバ装置１０１の送受信部２０１は、ゲートウェイ２３０１によって送信されたログ情報、機器ＩＤ及びゲートウェイＩＤを受信する（ステップＳ６６）。
【０２５１】
次に、更新部２０５は、送受信部２０１によって受信されたログ情報、機器ＩＤ及びゲートウェイＩＤに基づいて、ログ情報を管理情報保持部２０２に記憶し、管理情報保持部２０２に保持されている管理情報（記録ログ）を更新する（ステップＳ６７）。
【０２５２】
このように、サーバ装置１０１の送受信部２０１は、通知情報に応答して、一の電気機器（家電機器２５０１）のログ情報の収集を許諾する許諾情報を、情報表示装置（情報機器１０４）から第２のネットワークを介して受信する。そして、サーバ装置１０１の送受信部２０１は、許諾情報に基づいて、第１のネットワークを介して一の電気機器（家電機器２５０１）に対して、一の電気機器（家電機器２５０１）のログ情報を収集するか否かを設定する設定情報を送信する。家電機器２５０１の送受信部２２０２は、サーバ装置１０１によって送信された設定情報を受信し、受信した設定情報に応じてフィルタリング情報を更新する。サーバ装置１０１の送受信部２０１は、設定内容に基づいて一の電気機器が送信する一の電気機器のログ情報を、第１のネットワークを介して受信する。
【０２５３】
ここで、管理情報保持部２０２に保持される管理情報（記録ログ）について、図２７を用いて説明する。
【０２５４】
図２７は、実施の形態３におけるログ情報の更新処理について説明するための図である。図２７における上部のテーブルは、サーバ装置１０１が受信したログ情報を示し、図２７における下部のテーブルは、受信したログ情報のうち、サーバ装置１０１が実際に記憶するログ情報を示す。
【０２５５】
図２７の例では、機器ＩＤごとにログ情報が管理されており、機器ＩＤ「８９６０２３」に対応する家電機器の電源が、２０１３年４月４日１３時００分にＯＮされ、２０１３年４月４日１４時４０分にＯＦＦされたことを示している。また、図２７の例では、サーバ装置１０１において、記録するログ情報の選択は行われず、受信したログ情報は全て記録ログとして記録されることを示している。
【０２５６】
このように、家電機器は、取得した全てのログ情報の中から、収集が許諾されているログ情報のみを選択し、選択したログ情報をサーバ装置に送信する。そのため、収集が許諾されているログ情報が家電機器において選択されるので、家電機器からサーバ装置に送信されるログ情報の量を削減することができ、サーバ装置の構成を簡略化することができる。
【０２５７】
なお、実施の形態２では、サーバ装置がフィルタリング部を備え、実施の形態３では、家電機器がフィルタリング部を備えているが、本発明は特にこれに限定されず、ゲートウェイがフィルタリング部を備えてもよい。
【０２５８】
この場合、サーバ装置１０１の送受信部２０１は、通知情報に応答して、一の電気機器（家電機器１０２）のログ情報の収集を許諾する許諾情報を、情報表示装置（情報機器１０４）から第２のネットワークを介して受信する。そして、サーバ装置１０１の送受信部２０１は、許諾情報に基づいて、第１のネットワークを介してゲートウェイ１０３に対して、一の電気機器（家電機器１０２）のログ情報を収集するか否かを設定する設定情報を送信する。ゲートウェイ１０３の送受信部４０１は、サーバ装置１０１によって送信された設定情報を受信し、受信した設定情報に応じてフィルタリング情報を更新する。
【０２５９】
家電機器１０２の送受信部３０１は、当該家電機器２５０１の全てのログ情報をゲートウェイ１０３へ送信する。ゲートウェイ１０３のフィルタリング部は、受信されたログ情報と、保持されているフィルタリング情報とに基づいて、受信したログ情報のうちサーバ装置１０１へ送信するログ情報を選択する。サーバ装置１０１の送受信部２０１は、設定内容に基づいてゲートウェイ１０３が送信する一の電気機器のログ情報を、第１のネットワークを介して受信する。
【０２６０】
（実施の形態４）
４．１  情報管理システムの構成
実施の形態４における情報管理システムは、図２に示すサーバ装置１０１、家電機器１０２、ゲートウェイ１０３及び情報機器１０４の代わりに、サーバ装置１０１、家電機器１０２、ゲートウェイ２９０１及び情報機器１０４を備える（図示せず）。
【０２６１】
なお、サーバ装置１０１、家電機器１０２及び情報機器１０４の構成は、実施の形態１と同様であるため、その説明を省略する。
【０２６２】
４．２  ゲートウェイ２９０１の構成
続いて、実施の形態４におけるゲートウェイ２９０１の詳細な構成を説明する。
【０２６３】
図２８は、本発明の実施の形態４におけるゲートウェイの構成を示す図である。ゲートウェイ２９０１は、図２８に示すように、送受信部４０１、ゲートウェイＩＤ保持部４０２、管理情報保持部２９０２、判断部２９０３、選択部２９０４及び制御部２９０５を備える。
【０２６４】
ゲートウェイ２９０１は、具体的には図示されていないマイクロプロセッサ、ＲＡＭ、ＲＯＭ及びハードディスクなどから構成される。ＲＡＭ、ＲＯＭ及びハードディスクは、コンピュータプログラムを記憶している。マイクロプロセッサがコンピュータプログラムに従って動作することにより、ゲートウェイ２９０１の機能が実現される。
【０２６５】
なお、送受信部４０１、ゲートウェイＩＤ保持部４０２、管理情報保持部２９０２、判断部２９０３、選択部２９０４及び制御部２９０５等の各機能ブロックは、典型的には集積回路であるＬＳＩとして実現されてもよい。各機能ブロックは、個別に１チップ化されてもよいし、１以上の機能ブロック又は一部の機能ブロックを含むように１チップ化されてもよい。
【０２６６】
ここでは、ＬＳＩとしたが、集積度の違いにより、ＩＣ、システムＬＳＩ、スーパーＬＳＩ又はウルトラＬＳＩと呼称されることもある。
【０２６７】
また、集積回路化の手法はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ製造後にＬＳＩ内部の回路セルの接続又は設定を再構成可能なリコンフィギュラブル・プロセッサを利用してもよい。
【０２６８】
さらには、半導体技術の進歩又は派生する別技術によりＬＳＩに置き換わる集積回路化の技術が登場すれば、当然、その技術を用いて機能ブロックの集積化を行ってもよい。ＬＳＩに置き換わる集積回路化の技術としては、例えばバイオ技術の適用等が可能性としてありえる。
【０２６９】
最後に、各機能ブロックは、ソフトウェアで実現されてもよいし、ＬＳＩとソフトウェアとの組み合わせで実現されてもよい。また、ソフトウェアは耐タンパ化されていてもよい。
【０２７０】
なお、送受信部４０１及びゲートウェイＩＤ保持部４０２の構成は、実施の形態１と同様であるため、その説明を省略する。
【０２７１】
（１）管理情報保持部２９０２
管理情報保持部２９０２は、家電機器１０２の機器ＩＤ、家電機器１０２がディスプレイを持つか否か、家電機器１０２がログ情報を提供している否か、家電機器１０２の現在の電源状態がＯＮ状態であるか否かなどの管理情報を保持し、管理している。
【０２７２】
図２９は、実施の形態４における管理情報の一例を示す図である。図２９の例では、機器ＩＤ「１２３４５６」に対応する家電機器（家電機器Ａと称す）と、機器ＩＤ「８９６０２３」に対応する家電機器（家電機器Ｂと称す）とが接続されている。家電機器Ａは、ディスプレイを持たず、ログ情報を提供しており（提供を許諾しており）、現在の電源状態がＯＮ状態であることを示している。家電機器Ｂは、ディスプレイを持ち、ログ情報を提供しており（提供を許諾しており）、現在の電源状態がＯＮ状態であることを示している。
【０２７３】
（２）判断部２９０３
判断部２９０３は、管理情報保持部２９０２に保持されている管理情報に基づいて、ゲートウェイ２９０１に接続されている家電機器及び情報機器のうち、ディスプレイを持つ家電機器又は情報機器が存在するか否かを判断する。
【０２７４】
（３）選択部２９０４
選択部２９０４は、判断部２９０３によってディスプレイを持つ家電機器又は情報機器が存在すると判断された場合に、管理情報保持部２９０２に保持されている管理情報に基づいて、ディスプレイを持つ家電機器及び情報機器を全て選択する。
【０２７５】
また、選択部２９０４は、判断部２９０３によってディスプレイを持つ家電機器又は情報機器が存在すると判断された場合に、管理情報保持部２９０２に保持されている管理情報に基づいて、ディスプレイを持つ家電機器及び情報機器のうち、現在の電源状態がＯＮ状態である家電機器及び情報機器を全て選択してもよい。
【０２７６】
（４）制御部２９０５
制御部２９０５は、上記の送受信部４０１、ゲートウェイＩＤ保持部４０２、管理情報保持部２９０２、判断部２９０３、選択部２９０４及び制御部２９０５を管理及び制御して、ゲートウェイ２９０１の機能を実現する。
【０２７７】
４．３  情報管理システムの動作
家電機器１０２がネットワークに接続され、当該家電機器１０２のログ情報の提供に関して確認する動作の一例について、図３０〜図３３を用いて説明する。
【０２７８】
図３０は、本発明の実施の形態４における情報管理システムの動作を説明するための第１のフローチャートであり、図３１は、本発明の実施の形態４における情報管理システムの動作を説明するための第２のフローチャートである。
【０２７９】
なお、図３０におけるステップＳ７１〜ステップＳ７７の動作は、図１５におけるステップＳ１〜ステップＳ７の動作と同様であるため、その説明を省略し、図３１におけるステップＳ７８以降の動作について以下に説明する。
【０２８０】
サーバ装置１０１の送受信部２０１は、通知情報保持部２０３に保持されている通知情報を、ゲートウェイ２９０１へ送信する（ステップＳ７８）。
【０２８１】
ゲートウェイ２９０１の送受信部４０１は、サーバ装置１０１によって送信された通知情報を受信する（ステップＳ７９）。
【０２８２】
次に、判断部２９０３は、管理情報保持部２９０２に保持されている管理情報に基づいて、通知可能な機器が存在するか否か、すなわち、ディスプレイを持つ家電機器１０２又は情報機器１０４が存在するか否かを判断する（ステップＳ８０）。ここで、ディスプレイを持つ家電機器１０２又は情報機器１０４が存在しないと判断された場合（ステップＳ８０でＮＯ）、処理を終了する。
【０２８３】
一方、ディスプレイを持つ家電機器１０２又は情報機器１０４が存在すると判断された場合（ステップＳ８０でＹＥＳ）、送受信部４０１は、サーバ装置１０１から受信した通知情報を、ディスプレイを持つ家電機器１０２又は情報機器１０４へ送信する（ステップＳ８１）。なお、ここでは、送受信部４０１は、情報機器１０４へ通知情報を送信する。
【０２８４】
次に、情報機器１０４の送受信部５０１は、ゲートウェイ２９０１によって送信された通知情報を受信する（ステップＳ８２）。
【０２８５】
次に、表示部５０２は、受信した通知情報を表示する（ステップＳ８３）。
【０２８６】
次に、入力受付部５０３は、通知情報に対するユーザの入力（レスポンス）を受け付ける（ステップＳ８４）。
【０２８７】
次に、送受信部５０１は、入力受付部５０３によって受け付けたユーザによる入力情報を、サーバ装置１０１へ送信する（ステップＳ８５）。
【０２８８】
次に、サーバ装置の送受信部２０１は、情報機器１０４によって送信された入力情報を受信する（ステップＳ８６）。
【０２８９】
次に、更新部２０５は、入力情報に含まれるユーザのログ情報を提供するか否かを示す許諾情報に応じて、管理情報保持部２０２に保持されている管理情報を更新する（ステップＳ８７）。
【０２９０】
ここで、図３１のステップＳ８１における通知情報送信処理の動作についてさらに説明する。
【０２９１】
図３２は、図３１のステップＳ８１における通知情報送信処理の動作を説明するためのフローチャートである。
【０２９２】
まず、ゲートウェイ２９０１の選択部２９０４は、管理情報保持部２９０２に保持されている管理情報に基づいて、ディスプレイを持つ家電機器１０２（通知可能な家電機器１０２）又は情報機器１０４を全て選択する（ステップＳ９１）。
【０２９３】
次に、送受信部４０１は、選択部２９０４によって選択された家電機器１０２又は情報機器１０４へ、サーバ装置１０１から受信した通知情報を送信する（ステップＳ９２）。
【０２９４】
続いて、図３１のステップＳ８１における通知情報送信処理の他の動作についてさらに説明する。
【０２９５】
図３３は、図３１のステップＳ８１における通知情報送信処理の他の動作を説明するためのフローチャートである。
【０２９６】
まず、ゲートウェイ２９０１の選択部２９０４は、管理情報保持部２９０２に保持されている管理情報に基づいて、ディスプレイを持つ家電機器１０２又は情報機器１０４のうち、電源状態がＯＮ状態である機器を選択する（ステップＳ１０１）。
【０２９７】
次に、送受信部４０１は、選択部２９０４によって選択された家電機器１０２又は情報機器１０４へ、サーバ装置１０１から受信した通知情報を送信する（ステップＳ１０２）。
【０２９８】
このように、サーバ装置１０１の送受信部２０１は、第１のネットワークを介して、一の電気機器と接続されたゲートウェイ１０３から、一の電気機器を示す機器ＩＤ、及び一の電気機器が一以上の電気機器と同一所有者、同一グループ又は同一宅内に属することを示す帰属ＩＤを受信する。また、送受信部２０１は、一の電気機器が新規に接続された電気機器であると判断された場合、ゲートウェイ１０３に対して、第２のネットワークを介して、通知情報を送信する。さらに、ゲートウェイ２９０１の送受信部４０１は、ゲートウェイ１０３によって管理される情報表示装置を示す機器ＩＤに基づいて、ゲートウェイ１０３を経由して情報表示装置に対して、通知情報を提供する。
【０２９９】
（実施の形態５）
５．１  情報管理システムの構成
図３４は、本発明の実施の形態５における情報管理システムの構成を示す図である。情報管理システムは、図３４に示すように、サーバ装置３４０１、家電機器３４０２及び情報機器１０４を備える。
【０３００】
図３４では、家電機器３４０２及び情報機器１０４が宅内に位置する。家電機器３４０２及び情報機器１０４は、それぞれネットワークを介してサーバ装置３４０１に接続している。
【０３０１】
家電機器３４０２は、例えば、空調機器、テレビなどのＡＶ機器、洗濯機、照明機器、電子シャッター又はインターフォンなどである。
【０３０２】
家電機器３４０２は、サーバ装置３４０１に接続されている。家電機器３４０２は、個々の家電機器３４０２を一意に識別可能なＩＤ情報（機器ＩＤ）又はログ情報をサーバ装置３４０１へ送信する。
【０３０３】
また、新たな家電機器３４０２がネットワークに接続された場合、サーバ装置３４０１は、新たな家電機器３４０２の利用者が保有する情報機器１０４に対して、新たな家電機器３４０２のログ情報を提供（送信）することを許諾するか否かを確認するメッセージを提示して、利用者の確認結果を受信する。ログ情報の提供が許諾された場合、新たな家電機器３４０２は、ＩＤ情報及びログ情報をサーバ装置３４０１へ提供する。サーバ装置３４０１は、管理しているデータベース（管理データベース）でログ情報を保存及び管理する。
【０３０４】
なお、情報機器１０４の構成は、実施の形態１と同様であるため、その説明を省略する。
【０３０５】
５．２  サーバ装置３４０１の構成
続いて、実施の形態５におけるサーバ装置３４０１の詳細な構成を説明する。
【０３０６】
図３５は、本発明の実施の形態５におけるサーバ装置の構成を示す図である。サーバ装置３４０１は、図３５に示すように、送受信部２０１、管理情報保持部３５０１、通知情報保持部２０３、判断部２０４、更新部２０５、選択部２０６及び制御部３５０２を備える。
【０３０７】
サーバ装置３４０１は、具体的には図示されていないマイクロプロセッサ、ＲＡＭ、ＲＯＭ及びハードディスクなどから構成される。ＲＡＭ、ＲＯＭ及びハードディスクは、コンピュータプログラムを記憶している。マイクロプロセッサがコンピュータプログラムに従って動作することにより、サーバ装置３４０１の機能が実現される。
【０３０８】
なお、サーバ装置３４０１の送受信部２０１、管理情報保持部３５０１、通知情報保持部２０３、判断部２０４、更新部２０５、選択部２０６及び制御部３５０２等の各機能ブロックは、典型的には集積回路であるＬＳＩとして実現されてもよい。各機能ブロックは、個別に１チップ化されてもよいし、１以上の機能ブロック又は一部の機能ブロックを含むように１チップ化されてもよい。
【０３０９】
ここでは、ＬＳＩとしたが、集積度の違いにより、ＩＣ、システムＬＳＩ、スーパーＬＳＩ又はウルトラＬＳＩと呼称されることもある。
【０３１０】
また、集積回路化の手法はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ製造後にＬＳＩ内部の回路セルの接続又は設定を再構成可能なリコンフィギュラブル・プロセッサを利用してもよい。
【０３１１】
さらには、半導体技術の進歩又は派生する別技術によりＬＳＩに置き換わる集積回路化の技術が登場すれば、当然、その技術を用いて機能ブロックの集積化を行ってもよい。ＬＳＩに置き換わる集積回路化の技術としては、例えばバイオ技術の適用等が可能性としてありえる。
【０３１２】
最後に、各機能ブロックは、ソフトウェアで実現されてもよいし、ＬＳＩとソフトウェアとの組み合わせで実現されてもよい。また、ソフトウェアは耐タンパ化されていてもよい。
【０３１３】
なお、送受信部２０１、通知情報保持部２０３、判断部２０４、更新部２０５及び選択部２０６の構成は、実施の形態１と同様であるため、その説明を省略する。
【０３１４】
（１）管理情報保持部３５０１
管理情報保持部３５０１は、家電機器３４０２が属しているグループを特定するための帰属ＩＤと家電機器３４０２の機器ＩＤとの対応付け、家電機器３４０２がディスプレイを持つか否か、家電機器３４０２がログ情報を提供している否か、家電機器３４０２の現在の電源状態がＯＮ状態であるか否か、などの管理情報を保持し、管理している。
【０３１５】
図３７は、実施の形態５における管理情報の一例を示す図である。図３７の例では、帰属ＩＤ「３２４５６３８９」で表されるグループに、機器ＩＤ「１２３４５６」に対応する家電機器（家電機器Ａと称す）と、機器ＩＤ「８９６０２３」に対応する家電機器（家電機器Ｂと称す）とが属している。家電機器Ａは、ディスプレイを持たず、ログ情報を提供しており（提供を許諾しており）、現在の電源状態がＯＮ状態であることを示している。家電機器Ｂは、ディスプレイを持ち、ログ情報を提供しており（提供を許諾しており）、現在の電源状態がＯＮ状態であることを示している。
【０３１６】
なお、管理情報保持部３５０１が保持する宛先情報及びログ情報の提供状況については、実施の形態１の管理情報保持部２０２と同様であるため、その説明を省略する。
【０３１７】
（２）  制御部３５０２
制御部３５０２は、上記の送受信部２０１、管理情報保持部３５０１、通知情報保持部２０３、判断部２０４、更新部２０５、選択部２０６及び制御部３５０２を管理及び制御して、サーバ装置３４０１の機能を実現する。
【０３１８】
５．３  家電機器３４０２の構成
続いて、実施の形態５における家電機器３４０２の詳細な構成を説明する。
【０３１９】
図３６は、本発明の実施の形態５における家電機器の構成を示す図である。家電機器３４０２は、図３６に示すように、送受信部３０１、機器ＩＤ保持部３０２、ネットワーク接続検知部３０３、帰属ＩＤ保持部３６０１及び制御部３６０２を備える。
【０３２０】
家電機器３４０２は、具体的には図示されていないマイクロプロセッサ、ＲＡＭ、ＲＯＭ及びハードディスクなどから構成される。ＲＡＭ、ＲＯＭ及びハードディスクは、コンピュータプログラムを記憶している。マイクロプロセッサがコンピュータプログラムに従って動作することにより、家電機器３４０２の機能が実現される。
【０３２１】
なお、送受信部３０１、機器ＩＤ保持部３０２、ネットワーク接続検知部３０３、帰属ＩＤ保持部３６０１及び制御部３６０２等の各機能ブロックは、典型的には集積回路であるＬＳＩとして実現されてもよい。各機能ブロックは、個別に１チップ化されてもよいし、１以上の機能ブロック又は一部の機能ブロックを含むように１チップ化されてもよい。
【０３２２】
ここでは、ＬＳＩとしたが、集積度の違いにより、ＩＣ、システムＬＳＩ、スーパーＬＳＩ又はウルトラＬＳＩと呼称されることもある。
【０３２３】
また、集積回路化の手法はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ製造後にＬＳＩ内部の回路セルの接続又は設定を再構成可能なリコンフィギュラブル・プロセッサを利用してもよい。
【０３２４】
さらには、半導体技術の進歩又は派生する別技術によりＬＳＩに置き換わる集積回路化の技術が登場すれば、当然、その技術を用いて機能ブロックの集積化を行ってもよい。ＬＳＩに置き換わる集積回路化の技術としては、例えばバイオ技術の適用等が可能性としてありえる。
【０３２５】
最後に、各機能ブロックは、ソフトウェアで実現されてもよいし、ＬＳＩとソフトウェアとの組み合わせで実現されてもよい。また、ソフトウェアは耐タンパ化されていてもよい。
【０３２６】
なお、送受信部３０１、機器ＩＤ保持部３０２及びネットワーク接続検知部３０３の構成は、実施の形態１と同様であるため、その説明を省略する。
【０３２７】
（１）帰属ＩＤ保持部３６０１
帰属ＩＤ保持部３６０１は、当該家電機器３４０２が属する家庭（家族）、ユーザ又はグループなどを一意に識別するための識別子（帰属ＩＤ）を保持する。帰属ＩＤとは、例えば、ユーザアカウント又は家族アカウントであったり、それらから生成される番号であったり、各家族、各ユーザ又は各グループに対して割り当てられた任意の番号であったりする。
【０３２８】
（２）制御部３６０２
制御部３６０２は、上記の送受信部３０１、機器ＩＤ保持部３０２、ネットワーク接続検知部３０３、帰属ＩＤ保持部３６０１及び制御部３６０２を管理及び制御して、家電機器３４０２の機能を実現する。
【０３２９】
５．４  情報管理システムの動作
家電機器３４０２がネットワークに接続され、当該家電機器３４０２のログ情報の提供に関して確認する動作の一例について、図３８〜図４１を用いて説明する。
【０３３０】
図３８は、本発明の実施の形態５における情報管理システムの動作を説明するための第１のフローチャートであり、図３９は、本発明の実施の形態５における情報管理システムの動作を説明するための第２のフローチャートである。
【０３３１】
まず、家電機器３４０２のネットワーク接続検知部３０３は、家電機器３４０２がネットワークに接続されたこと（サーバ装置３４０１に接続されたこと）を検知する（ステップＳ１１１）。
【０３３２】
ネットワークに接続されたことが検知されると、送受信部３０１は、帰属ＩＤ保持部３６０１に保持されている帰属ＩＤと、機器ＩＤ保持部３０２に保持されている機器ＩＤとを、サーバ装置３４０１へ送信する（ステップＳ１１２）。
【０３３３】
次に、サーバ装置３４０１の送受信部２０１は、家電機器３４０２によって送信された帰属ＩＤ及び機器ＩＤを受信する（ステップＳ１１３）。
【０３３４】
次に、判断部２０４は、受信した帰属ＩＤ及び機器ＩＤと、管理情報保持部３５０１に保持されている管理情報とに基づいて、新規に家電機器が接続されたか否か、すなわち、受信した機器ＩＤに対応する家電機器が新たに接続された家電機器であるか否かを判断する（ステップＳ１１４）。
【０３３５】
すなわち、判断部２０４は、管理情報保持部３５０１に保持されている管理情報を参照し、受信した帰属ＩＤに対応付けられている複数の機器ＩＤの中に、受信した機器ＩＤと一致する機器ＩＤがあるか否かを判断する。受信した帰属ＩＤに対応付けられている複数の機器ＩＤの中に、受信した機器ＩＤと一致する機器ＩＤがある場合、判断部２０４は、受信した機器ＩＤに対応する家電機器が新たに接続された家電機器ではないと判断する。また、受信した帰属ＩＤに対応付けられている複数の機器ＩＤの中に、受信した機器ＩＤと一致する機器ＩＤがない場合、判断部２０４は、受信した機器ＩＤに対応する家電機器が新たに接続された家電機器であると判断する。
【０３３６】
ここで、新規に家電機器が接続されていないと判断された場合、すなわち、受信した機器ＩＤに対応する家電機器が新たに接続された家電機器ではないと判断された場合（ステップＳ１１４でＮＯ）、処理を終了する。
【０３３７】
一方、新規に家電機器が接続されたと判断された場合、すなわち、受信した機器ＩＤに対応する家電機器が新たに接続された家電機器であると判断された場合（ステップＳ１１４でＹＥＳ）、更新部２０５は、受信した帰属ＩＤ及び機器ＩＤに基づき、管理情報保持部３５０１に保持されている管理情報を更新する（ステップＳ１１５）。
【０３３８】
次に、判断部２０４は、受信した帰属ＩＤと、管理情報保持部３５０１に保持されている管理情報とに基づいて、受信した帰属ＩＤに対応する１以上の家電機器３４０２又は情報機器１０４の中に、通知可能な機器が存在するか否か、すなわち、ディスプレイを持つ家電機器３４０２又は情報機器１０４が存在するか否かを判断する（ステップＳ１１６）。ここで、ディスプレイを持つ家電機器３４０２又は情報機器１０４が存在しないと判断された場合（ステップＳ１１６でＮＯ）、処理を終了する。
【０３３９】
一方、ディスプレイを持つ家電機器３４０２又は情報機器１０４が存在すると判断された場合（ステップＳ１１６でＹＥＳ）、送受信部２０１は、通知情報保持部２０３に保持されている通知情報を、ディスプレイを持つ家電機器３４０２又は情報機器１０４へ送信する（ステップＳ１１７）。なお、ここでは、送受信部２０１は、情報機器１０４へ通知情報を送信する。
【０３４０】
次に、情報機器１０４の送受信部５０１は、サーバ装置３４０１によって送信された通知情報を受信する（ステップＳ１１８）。
【０３４１】
次に、表示部５０２は、受信した通知情報を表示する（ステップＳ１１９）。
【０３４２】
次に、入力受付部５０３は、通知情報に対するユーザの入力（レスポンス）を受け付ける（ステップＳ１２０）。
【０３４３】
次に、送受信部５０１は、入力受付部５０３によって受け付けたユーザによる入力情報を、サーバ装置３４０１へ送信する（ステップＳ１２１）。このとき、入力情報は、ログ情報を提供するか否かを示す情報を含む。
【０３４４】
次に、サーバ装置の送受信部２０１は、情報機器１０４によって送信された入力情報を受信する（ステップＳ１２２）。
【０３４５】
次に、更新部２０５は、入力情報に含まれるユーザのログ情報を提供するか否かを示す許諾情報に応じて、管理情報保持部３５０１に保持されている管理情報を更新する（ステップＳ１２３）。
【０３４６】
ここで、図３９のステップＳ１１７における通知情報送信処理の動作についてさらに説明する。
【０３４７】
図４０は、図３９のステップＳ１１７における通知情報送信処理の動作を説明するためのフローチャートである。
【０３４８】
まず、サーバ装置３４０１の選択部２０６は、受信した帰属ＩＤと、管理情報保持部３５０１に保持されている管理情報とに基づいて、ディスプレイを持つ家電機器（通知可能な家電機器３４０２）又は情報機器１０４を全て選択する（ステップＳ１３１）。
【０３４９】
次に、送受信部２０１は、選択部２０６によって選択された家電機器３４０２又は情報機器１０４へ、通知情報保持部２０３に保持されている通知情報を送信する（ステップＳ１３２）。
【０３５０】
続いて、図３９のステップＳ１１７における通知情報送信処理の他の動作についてさらに説明する。
【０３５１】
図４１は、図３９のステップＳ１１７における通知情報送信処理の他の動作を説明するためのフローチャートである。
【０３５２】
まず、サーバ装置３４０１の選択部２０６は、受信した帰属ＩＤと、管理情報保持部３５０１に保持されている管理情報とに基づいて、ディスプレイを持つ家電機器３４０２（通知可能な家電機器３４０２）又は情報機器１０４のうち、電源状態がＯＮ状態である機器を選択する（ステップＳ１４１）。
【０３５３】
次に、送受信部２０１は、選択部２０６によって選択された家電機器３４０２又は情報機器１０４へ、通知情報保持部２０３に保持されている通知情報を送信する（ステップＳ１４２）。
【０３５４】
このように、サーバ装置３４０１の送受信部２０１は、第１のネットワークを介して、一の電気機器（家電機器３４０２）から、機器ＩＤ及び帰属ＩＤを受信する。また、送受信部２０１は、一の電気機器が新規に接続された電気機器であると判断された場合、帰属ＩＤと情報表示装置とを対応付けて管理する第２のデータベースを用いて、一の電気機器の前記帰属ＩＤに対応する情報表示装置に対して、第２のネットワークを介して、通知情報を提供する。
【０３５５】
なお、上記の実施の形態において説明された技術は、例えば、以下のクラウドサービスの類型において実現されうる。しかし、上記の実施の形態において説明された技術が実現されるクラウドサービスの類型はこれらに限られるものでない。
【０３５６】
（サービスの類型１：自社データセンタ型クラウドサービス）
図４２は、サービスの類型１（自社データセンタ型クラウドサービス）における情報管理システムが提供するサービスの全体像を示す図である。本類型では、サービスプロバイダ１０２０がグループ１０００から情報を取得し、ユーザに対してサービスを提供する。本類型では、サービスプロバイダ１０２０が、データセンタ運営会社の機能を有している。すなわち、サービスプロバイダ１０２０が、ビッグデータを管理するクラウドサーバ１０１１を保有している。したがって、データセンタ運営会社は存在しない。
【０３５７】
本類型では、サービスプロバイダ１０２０は、データセンタ（クラウドサーバ）２００３を運営及び管理している。また、サービスプロバイダ１０２０は、オペレーティングシステム（ＯＳ）２０２及びアプリケーション２００１を管理する。サービスプロバイダ１０２０は、サービスプロバイダ１０２０が管理するＯＳ２００２及びアプリケーション２００１を用いてサービスを提供する（矢印１３７）。
【０３５８】
（サービスの類型２：ＩａａＳ利用型クラウドサービス）
図４３は、サービスの類型２（ＩａａＳ利用型クラウドサービス）における情報管理システムが提供するサービスの全体像を示す図である。ここで、ＩａａＳとは、インフラストラクチャー・アズ・ア・サービスの略であり、コンピュータシステムを構築及び稼動させるための基盤そのものを、インターネット経由のサービスとして提供するクラウドサービス提供モデルである。
【０３５９】
本類型では、データセンタ運営会社１０１０が、データセンタ（クラウドサーバ）２００３を運営及び管理している。また、サービスプロバイダ１０２０は、ＯＳ２００２及びアプリケーション２００１を管理する。サービスプロバイダ１０２０は、サービスプロバイダ１０２０が管理するＯＳ２００２及びアプリケーション２００１を用いてサービスを提供する（矢印１３７）。
【０３６０】
（サービスの類型３：ＰａａＳ利用型クラウドサービス）
図４４は、サービスの類型３（ＰａａＳ利用型クラウドサービス）における情報管理システムが提供するサービスの全体像を示す図である。ここで、ＰａａＳとは、プラットフォーム・アズ・ア・サービスの略であり、ソフトウェアを構築及び稼動させるための土台となるプラットフォームを、インターネット経由のサービスとして提供するクラウドサービス提供モデルである。
【０３６１】
本類型では、データセンタ運営会社１０１０は、ＯＳ２００２を管理し、データセンタ（クラウドサーバ）２００３を運営及び管理している。また、サービスプロバイダ１０２０は、アプリケーション２００１を管理する。サービスプロバイダ１０２０は、データセンタ運営会社１０１０が管理するＯＳ２００２及びサービスプロバイダ１０２０が管理するアプリケーション２００１を用いてサービスを提供する（矢印１３７）。
【０３６２】
（サービスの類型４：ＳａａＳ利用型クラウドサービス）
図４５は、サービスの類型４（ＳａａＳ利用型クラウドサービス）における情報管理システムが提供するサービスの全体像を示す図である。ここで、ＳａａＳとは、ソフトウェア・アズ・ア・サービスの略である。ＳａａＳ利用型クラウドサービスは、例えば、データセンタ（クラウドサーバ）を保有しているプラットフォーム提供者が提供するアプリケーションを、データセンタ（クラウドサーバ）を保有していない会社又は個人などの利用者がインターネットなどのネットワーク経由で使用できる機能を有するクラウドサービス提供モデルである。
【０３６３】
本類型では、データセンタ運営会社１０１０は、アプリケーション２００１を管理し、ＯＳ２００２を管理し、データセンタ（クラウドサーバ）２００３を運営及び管理している。また、サービスプロバイダ１０２０は、データセンタ運営会社１０１０が管理するＯＳ２００２及びアプリケーション２００１を用いてサービスを提供する（矢印１３７）。
【０３６４】
以上、いずれのクラウドサービスの類型においても、サービスプロバイダ１０２０がサービスを提供する。また、例えば、サービスプロバイダ又はデータセンタ運営会社は、ＯＳ、アプリケーション又はビックデータのデータベース等を自ら開発してもよいし、また、第三者に外注させてもよい。
【産業上の利用可能性】
【０３６５】
本発明にかかる情報管理方法は、電気機器がディスプレイを有しているか否か又は電気機器が有するディスプレイの大きさに関わらず、ログ情報が収集されることを許諾するか否かをユーザに確認することができ、一以上の電気機器の使用状況を示すログ情報を管理する情報管理システムにおける情報管理方法に有用である。
【要約】
サーバ装置（１０１）は、一以上の家電機器の中の一の家電機器（１０２）を示す機器ＩＤ、及び一の家電機器（１０２）が一以上の家電機器と同一所有者、同一グループ又は同一宅内に属することを示すゲートウェイＩＤを受信し、一以上の家電機器を示す機器ＩＤ及びゲートウェイＩＤを管理する管理データベースを用いて、一の家電機器（１０２）が新規に接続された家電機器であるか否かを判断し、一の家電機器（１０２）が新規に接続された家電機器であると判断された場合、ゲートウェイＩＤに対応付けられており一の家電機器（１０２）とは異なる情報機器（１０４）に対して、一の家電機器（１０２）のログ情報が収集されることを許諾するか否かを確認する通知情報を提供する。【図１】
0005711439.tif 000002
【図２】
0005711439.tif 000003
【図３】
0005711439.tif 000004
【図４】
0005711439.tif 000005
【図５】
0005711439.tif 000006
【図６】
0005711439.tif 000007
【図７】
0005711439.tif 000008
【図８】
0005711439.tif 000009
【図９】
0005711439.tif 000010
【図１０】
0005711439.tif 000011
【図１１】
0005711439.tif 000012
【図１２】
0005711439.tif 000013
【図１３】
0005711439.tif 000014
【図１４】
0005711439.tif 000015
【図１５】
0005711439.tif 000016
【図１６】
0005711439.tif 000017
【図１７】
0005711439.tif 000018
【図１８】
0005711439.tif 000019
【図１９】
0005711439.tif 000020
【図２０】
0005711439.tif 000021
【図２１】
0005711439.tif 000022
【図２２】
0005711439.tif 000023
【図２３】
0005711439.tif 000024
【図２４】
0005711439.tif 000025
【図２５】
0005711439.tif 000026
【図２６】
0005711439.tif 000027
【図２７】
0005711439.tif 000028
【図２８】
0005711439.tif 000029
【図２９】
0005711439.tif 000030
【図３０】
0005711439.tif 000031
【図３１】
0005711439.tif 000032
【図３２】
0005711439.tif 000033
【図３３】
0005711439.tif 000034
【図３４】
0005711439.tif 000035
【図３５】
0005711439.tif 000036
【図３６】
0005711439.tif 000037
【図３７】
0005711439.tif 000038
【図３８】
0005711439.tif 000039
【図３９】
0005711439.tif 000040
【図４０】
0005711439.tif 000041
【図４１】
0005711439.tif 000042
【図４２】
0005711439.tif 000043
【図４３】
0005711439.tif 000044
【図４４】
0005711439.tif 000045
【図４５】
0005711439.tif 000046